(57)【特許請求の範囲】
【請求項１】
ユーザ機器ＵＥが予め設定された規則に従って、現在のサブフレーム上の最後のシンボルで物理アップリンク制御チャネルＰＵＣＣＨデータ及び／又は物理アップリンク共有チャネルＰＵＳＣＨデータ又はサウンディング基準信号ＳＲＳを送信するか否かを確定し、
前記ＵＥが前記現在のサブフレームの最後のシンボルで前記ＰＵＣＣＨデータ及び／又は前記ＰＵＳＣＨデータを送信可能である否かに基づいて、前記現在のサブフレームで送信する前記ＰＵＣＣＨデータ及び／又は前記ＰＵＳＣＨデータを確定し、
前記ＵＥが前記現在のサブフレームで前記ＰＵＣＣＨデータ及び／又は前記ＰＵＳＣＨデータを送信し、及び／又は前記現在のサブフレームの最後のシンボルでＳＲＳを送信するステップを含み、
前記ＵＥが予め設定された規則に従って、現在のサブフレーム上の最後のシンボルでＰＵＣＣＨデータ及び／又はＰＵＳＣＨデータ又はＳＲＳを送信するか否かを確定することが、
前記ＵＥが前記現在のサブフレームでＡＣＫ／ＮＡＣＫ応答メッセージを含むＰＵＣＣＨフォーマット２／２ａ／２ｂと非周期的ＳＲＳを同時送信する場合、前記ＵＥが前記現在のサブフレームで前記ＰＵＣＣＨを送信し、前記非周期的ＳＲＳは送信しないと確定すること、又は、
前記ＵＥが前記現在のサブフレームでＡＣＫ／ＮＡＣＫ応答メッセージを含まないＰＵＣＣＨフォーマット２と非周期的ＳＲＳを同時送信する場合、前記ＵＥが前記現在のサブフレームで前記ＰＵＣＣＨを送信せず、前記非周期的ＳＲＳを送信すると確定することを含むことを特徴とするデータ送信方法。
【請求項２】
前記ＵＥが予め設定された規則に従って、現在のサブフレーム上の最後のシンボルでＰＵＣＣＨデータ又はＰＵＳＣＨデータ又はＳＲＳを送信するか否かを確定することが、
前記現在のサブフレームが前記ＰＵＳＣＨが位置するコンポーネントキャリアの上位階層から配置され、セル固有の前記ＳＲＳを送信するサブフレームであると、前記ＵＥが前記現在のサブフレームの最後のシンボルで前記ＰＵＳＣＨを送信しないと確定するのを含むことを特徴とする請求項１に記載の方法。
【請求項３】
前記ＵＥが予め設定された規則に従って、現在のサブフレーム上の最後のシンボルでＰＵＣＣＨデータ及び／又はＰＵＳＣＨデータ又はＳＲＳを送信するか否かを確定することが、
前記現在のサブフレームが前記ＰＵＳＣＨが位置するコンポーネントキャリアの上位階層から配置され、セル固有の前記ＳＲＳを送信するサブフレームであって、且つ前記ＰＵＳＣＨのリソースの割り当てが前記コンポーネントキャリアの上位階層から配置され、セル固有のＳＲＳ帯域幅の配置とオーバーラップすると、前記ＵＥが前記現在のサブフレームの最後のシンボルで前記ＰＵＳＣＨを送信しないと確定するのを含むことを特徴とする請求項１に記載の方法。
【請求項４】
前記ＵＥが予め設定された規則に従って、現在のサブフレーム上の最後のシンボルでＰＵＣＣＨデータ及び／又はＰＵＳＣＨデータ又はＳＲＳを送信するか否かを確定することが、
前記現在のサブフレームが前記ＰＵＳＣＨが位置するコンポーネントキャリア又は前記ＵＥのコンポーネントキャリアの中の前記ＰＵＳＣＨが位置するコンポーネントキャリア以外の他のコンポーネントキャリアの上位階層から配置され、セル固有のＳＲＳを送信するサブフレームであると、前記ＵＥが前記現在のサブフレームの最後のシンボルで前記ＰＵＳＣＨを送信しないと確定するのを含むことを特徴とする請求項１に記載の方法。
【請求項５】
前記ＵＥが予め設定された規則に従って、現在のサブフレーム上の最後のシンボルでＰＵＣＣＨデータ及び／又はＰＵＳＣＨデータ又はＳＲＳを送信するか否かを確定することが、
前記ＰＵＣＣＨがフォーマット１／１ａ／１ｂ／３であって、且つ前記ＵＥのＡＣＫ／ＮＡＣＫとＳＲＳの同時送信を許可する上位階層配置パラメーターがＴＲＵＥであって、且つ前記現在のサブフレームが前記ＵＥのメインコンポーネントキャリアの上位階層から配置され、セル固有のＳＲＳを送信するサブフレームであると、前記ＵＥが前記現在のサブフレームの最後のシンボルで前記ＰＵＣＣＨを送信しないと確定するのを含むことを特徴とする請求項１に記載の方法。
【請求項６】
前記ＵＥが前記現在のサブフレームの最後のシンボルで前記ＰＵＣＣＨデータ及び／又は前記ＰＵＳＣＨデータを送信可能であるか否かに基づいて、前記現在のサブフレームで送信する前記ＰＵＣＣＨデータ及び／又は前記ＰＵＳＣＨデータを確定することが、
前記現在のサブフレームの最後のシンボルでＰＵＳＣＨを送信できないと、前記ＵＥが前記ＰＵＳＣＨの伝送が占める時間領域シンボル数を確定する際、ＮＳＲＳを１に設定し、そうでなければ、ＮＳＲＳを０に設定し（ここで、ＮＳＲＳは現在のサブフレームでＳＲＳを送信する必要があるか否かを示す変数である）、
前記現在のサブフレームの最後のシンボルでＰＵＣＣＨフォーマット１／１ａ／１ｂ／３を送信できない場合、前記ＰＵＣＣＨは前記現在のサブフレームでクリッピング構造でＰＵＣＣＨデータを送信し、そうでなければ、正規構造で前記ＰＵＣＣＨデータを送信するのを含むことを特徴とする請求項１に記載の方法。
【請求項７】
前記ＵＥが、式
【数１】
0005869588.tif 000008
に従って前記ＰＵＳＣＨの伝送が占める時間領域シンボル数を計算（ここで、
【数２】
0005869588.tif 000009
はＰＵＳＣＨの伝送が占める時間領域シンボル数で、
【数３】
0005869588.tif 000010
は１タイムスロット内の送信可能のシンボル数である）することを特徴とする請求項６に記載の方法。
【請求項８】
前記ＵＥが予め設定された規則に従って、現在のサブフレーム上の最後のシンボルでＰＵＣＣＨデータ及び／又はＰＵＳＣＨデータ又はＳＲＳを送信するか否かを確定することが、
前記ＵＥが前記現在のサブフレームで複数のアップリンクコンポーネントキャリアのＳＲＳを同時送信し、且つ前記現在のサブフレームの最後のシンボルで前記ＵＥのＰＵＳＣＨデータ及び／又はＰＵＣＣＨデータを送信しない場合、前記ＵＥが予め設定された優先順原則に従って、前記現在のサブフレームの最後のシンボルで優先順位の高いＳＲＳを送信することを含むことを特徴とする請求項１に記載の方法。
【請求項９】
前記ＵＥが予め設定された規則に従って、現在のサブフレーム上の最後のシンボルでＰＵＣＣＨデータ及び／又はＰＵＳＣＨデータ又はＳＲＳを送信するか否かを確定することが、
高級長期的進化ＬＴＥ−Ａシステムにおいて、前記ＵＥが前記現在のサブフレームで複数のアップリンクコンポーネントキャリアのＳＲＳを同時送信し、且つ前記現在のサブフレームの最後のシンボルで前記ＵＥのＰＵＳＣＨデータ及び／又はＰＵＣＣＨデータを送信しない場合、前記ＵＥが予め設定された優先順原則に従って、前記現在のサブフレームの最後のシンボルで優先順位が最も高いＳＲＳを送信することを含むことを特徴とする請求項１に記載の方法。
【請求項１０】
前記ＵＥが予め設定された規則に従って、現在のサブフレーム上の最後のシンボルでＰＵＣＣＨデータ及び／又はＰＵＳＣＨデータ又はＳＲＳを送信するか否かを確定することが、
前記ＵＥが前記現在のサブフレームで複数のアップリンクコンポーネントキャリアのＳＲＳを同時送信し、且つ前記現在のサブフレームの最後のシンボルで前記ＵＥのＰＵＳＣＨデータ及び／又はＰＵＣＣＨデータを送信しない場合、
上位階層シグナルによって前記ＵＥにサブフレームの最後のシンボルでｎ個のＳＲＳの同時送信を許可すると配置された場合、前記ＵＥは予め設定された優先順原則に従って、前記現在のサブフレームの最後のシンボルで優先順位の高いｎ個のＳＲＳを送信し（ｎは１を超える整数である）、又は
上位階層シグナルによって前記ＵＥにサブフレームの最後のシンボルでｎ個のＳＲＳの同時送信を許可しないと配置された場合、前記ＵＥは予め設定された優先順原則に従って、前記現在のサブフレームの最後のシンボルで優先順位が最も高いＳＲＳを送信することを含むことを特徴とする請求項１に記載の方法。
【請求項１１】
前記上位階層シグナルによって前記ＵＥにサブフレームの最後のシンボルでｎ個のＳＲＳの同時送信を許可すると配置されることが、
前記上位階層シグナルがＬＴＥ−Ａシステムに新たに追加された上位階層シグナルであるか、又は前記上位階層シグナルがＬＴＥ−Ａシステムに定義されたＰＵＳＣＨとＰＵＣＣＨの同時伝送の許可を指示する上位階層シグナルであって、
ＰＵＳＣＨとＰＵＣＣＨの同時伝送を許可する上位階層シグナルを真（ＴＲＵＥ）又はオン（ＯＮ）に配置することによって、前記ＵＥにｎ個のＳＲＳの同時送信の許可を指示し、
ＰＵＳＣＨとＰＵＣＣＨの同時伝送を許可する上位階層シグナルを偽（ＦＡＬＳＥ）又はオフ（ＯＦＦ）に配置することによって、前記ＵＥに一つのＳＲＳのみの送信を指示する方式の中の一つを含むことを特徴とする請求項１０に記載の方法。
【請求項１２】
前記予め設定された優先順原則が、アップリンクコンポーネントキャリアの優先順位を対応するコンポーネントキャリアでＳＲＳを送信する優先順位に設定することを含むことを特徴とする請求項８乃至１１の中のいずれかに記載の方法。
【請求項１３】
前記予め設定された優先順原則が、
まず、非周期的ＳＲＳの優先順位を周期的ＳＲＳの優先順位より高く設定し、
次、メインアップリンクコンポーネントキャリア上のＳＲＳの優先順位を他のコンポーネントキャリア上の優先順位より高く設定し、
その次、同時にＵＣＩを含むＰＵＳＣＨを送信するコンポーネントキャリア上のＳＲＳの優先順位を同時にＵＣＩを含まないＰＵＳＣＨを送信するコンポーネントキャリアのＳＲＳの優先順位より高く設定し、
その次、同時にＰＵＳＣＨを送信するコンポーネントキャリア上のＳＲＳの優先順位を同時にＰＵＳＣＨを送信しないコンポーネントキャリアのＳＲＳの優先順位より高く設定し、
前記優先順原則を応用した後に、前記複数のコンポーネントキャリア上のＳＲＳの優先順位が依然として同一であると、アップリンクコンポーネントキャリアの優先順位を対応する複数のコンポーネントキャリア上のＳＲＳの優先順位に設定する方式の中の少なくとも一つを含むことを特徴とする請求項８乃至１１の中のいずれかに記載の方法。
【請求項１４】
前記ＵＥが予め設定された規則に従って、現在のサブフレーム上の最後のシンボルでＰＵＣＣＨデータを送信し且つＳＲＳを送信しないと確定することが、
前記ＵＥが前記現在のサブフレームでＰＵＣＣＨフォーマット２／２ａ／２ｂと周期ＳＲＳを同時送信する必要がある場合、前記ＵＥが前記現在のサブフレームで前記ＰＵＣＣＨを送信し、前記周期的ＳＲＳを送信しないと確定するのを含むことを特徴とする請求項１に記載の方法。
【請求項１５】
前記ＵＥが予め設定された規則に従って、現在のサブフレーム上の最後のシンボルでＰＵＣＣＨデータ及び／又はＰＵＳＣＨデータ又はＳＲＳを送信するか否かを確定することが、
前記ＵＥが前記現在のサブフレームでＰＵＳＣＨ又はＰＵＣＣＨフォーマット１／１ａ／１ｂ／３とＳＲＳを同時送信し、且つ前記現在のサブフレームの最後のシンボルで前記ＵＥのＰＵＳＣＨデータ又はＰＵＣＣＨのフォーマット１／１ａ／１ｂ／３を送信する場合、前記ＵＥが前記現在のサブフレームで前記ＰＵＳＣＨデータ又はＰＵＣＣＨデータを送信し、前記現在のサブフレームの最後のシンボルで前記ＳＲＳを送信しないと確定することを含むことを特徴とする請求項１に記載の方法。
【請求項１６】
前記ＵＥが予め設定された規則に従って、現在のサブフレーム上の最後のシンボルでＰＵＣＣＨデータ及び／又はＰＵＳＣＨデータ又はＳＲＳを送信するか否かを確定することが、
前記ＵＥが前記現在のサブフレームでＰＵＳＣＨ又はＰＵＣＣＨフォーマット１／１ａ／１ｂ／３とＳＲＳを同時送信し、且つ前記現在のサブフレームの最後のシンボルで前記ＵＥのＰＵＳＣＨデータ又はＰＵＣＣＨデータのフォーマット１／１ａ／１ｂ／３を送信しない場合、前記ＵＥが前記現在のサブフレーム中の最後のシンボルを除く他のシンボルで前記ＰＵＳＣＨデータ又はＰＵＣＣＨデータを送信し、前記現在のサブフレームの最後のシンボルで前記ＳＲＳを送信すると確定するのを含むことを特徴とする請求項１に記載の方法。
【請求項１７】
前記ＵＥが予め設定された規則に従って、現在のサブフレーム上の最後のシンボルでＰＵＣＣＨデータ及び／又はＰＵＳＣＨデータ又はＳＲＳを送信するか否かを確定することが、
前記ＵＥが前記現在のサブフレームで前記ＰＵＣＣＨ、前記ＰＵＳＣＨ及び前記ＳＲＳを同時送信し、且つＰＵＳＣＨとＰＵＣＣＨの同時伝送の許可を指示する上位階層シグナルが真（ＴＲＵＥ）又はオン（ＯＮ）であると、
前記ＵＥがまずＰＵＣＣＨとＳＲＳを同一のサブフレームで送信する処理方法に従って、前記ＰＵＣＣＨと前記ＳＲＳの送信を確定し、
前記処理方法に従って処理した後も、前記サブフレームの最後のシンボルでＳＲＳを送信する必要があると、さらにＰＵＳＣＨとＳＲＳを同一のサブフレームで送信する処理方法に従って、前記ＰＵＳＣＨと前記ＳＲＳの送信を確定するのを含むことを特徴とする請求項１に記載の方法。
【請求項１８】
前記ＰＵＣＣＨとＳＲＳを同一のサブフレームで送信する処理方法に従って、前記ＰＵＣＣＨと前記ＳＲＳの送信を確定することが、
前記ＵＥが前記現在のサブフレームでＰＵＣＣＨフォーマット２／２ａ／２ｂと周期ＳＲＳを同時送信する場合、前記ＵＥが前記現在のサブフレームで前記ＰＵＣＣＨを送信し、前記周期的ＳＲＳを送信しないと確定し、
前記ＵＥが前記現在のサブフレームでＡＣＫ／ＮＡＣＫ応答メッセージを含むＰＵＣＣＨフォーマット２／２ａ／２ｂと非周期的ＳＲＳを同時送信する場合、前記ＵＥが前記現在のサブフレームで前記ＰＵＣＣＨを送信し、前記非周期的ＳＲＳを送信しないと確定し、
前記ＵＥが前記現在のサブフレームでＡＣＫ／ＮＡＣＫ応答メッセージを含まないＰＵＣＣＨフォーマット２と非周期的ＳＲＳを同時送信する場合、前記ＵＥが前記現在のサブフレームで前記ＰＵＣＣＨを送信せず、前記非周期的ＳＲＳを送信すると確定し、
前記ＵＥが前記現在のサブフレームでＰＵＣＣＨフォーマット１／１ａ／１ｂ／３とＳＲＳを同時送信し、且つ前記現在のサブフレームの最後のシンボルで前記ＵＥのＰＵＣＣＨのフォーマット１／１ａ／１ｂ／３を送信する場合、前記ＵＥが前記現在のサブフレームで前記ＰＵＣＣＨデータを送信し、前記現在のサブフレームの最後のシンボルで前記ＳＲＳを送信しないと確定し、
前記ＵＥが前記現在のサブフレームでＰＵＣＣＨフォーマット１／１ａ／１ｂ／３とＳＲＳを同時送信し、且つ前記現在のサブフレームの最後のシンボルで前記ＵＥのＰＵＣＣＨフォーマット１／１ａ／１ｂ／３を送信しない場合、前記ＵＥが前記現在のサブフレーム中の最後のシンボルを除くシンボルで前記ＰＵＣＣＨデータを送信し、前記現在のサブフレームの最後のシンボルで前記ＳＲＳを送信すると確定するのを含むことを特徴とする請求項１７に記載の方法。
【請求項１９】
前記ＵＥが予め設定された規則に従って、現在のサブフレーム上の最後のシンボルでＰＵＣＣＨデータ及び／又はＰＵＳＣＨデータ又はＳＲＳを送信するか否かを確定することが、
前記ＵＥが前記現在のサブフレームで前記ＰＵＣＣＨ、前記ＰＵＳＣＨ及び前記ＳＲＳを同時送信し、且つＰＵＳＣＨとＰＵＣＣＨの同時伝送の許可を指示する上位階層シグナルが偽（ＦＡＬＳＥ）又はオフ（ＯＦＦ）である場合、
前記ＵＥは、まず前記ＰＵＣＣＨが含んだＵＣＩ情報を前記ＰＵＳＣＨで送信し、
その後、ＰＵＳＣＨとＳＲＳを同一のサブフレームで送信する処理方法に従って、前記ＰＵＳＣＨと前記ＳＲＳの送信を確定することを特徴とする請求項１に記載の方法。
【請求項２０】
ＰＵＳＣＨとＳＲＳを同一のサブフレームで送信する処理方法に従って、前記ＰＵＳＣＨと前記ＳＲＳの送信を確定することが、
前記ＵＥが前記現在のサブフレームでＰＵＳＣＨデータとＳＲＳを同時送信し、且つ前記現在のサブフレームの最後のシンボルで前記ＵＥのＰＵＳＣＨデータを送信する場合、前記ＵＥが前記現在のサブフレームで前記ＰＵＳＣＨデータを送信し、前記現在のサブフレームの最後のシンボルで前記ＳＲＳを送信しないと確定し、
前記ＵＥが前記現在のサブフレームでＰＵＳＣＨデータとＳＲＳを同時送信し、且つ前記現在のサブフレームの最後のシンボルで前記ＵＥのＰＵＳＣＨを送信しない場合、前記ＵＥが前記現在のサブフレーム中の最後のシンボルを除くシンボルで前記ＰＵＳＣＨデータを送信し、前記現在のサブフレームの最後のシンボルで前記ＳＲＳを送信すると確定するのを含むことを特徴とする請求項１７又は１９に記載の方法。
【請求項２１】
予め設定された規則に従って、現在のサブフレーム上の最後のシンボルで物理アップリンク制御チャネルＰＵＣＣＨデータ及び／又は物理アップリンク共有チャネルＰＵＳＣＨデータ又はサウンディング基準信号ＳＲＳを送信するか否かを確定する第１の確定ブロックと、
前記現在のサブフレームの最後のシンボルで前記ＰＵＣＣＨデータ及び／又は前記ＰＵＳＣＨデータを送信可能であるか否かに基づいて、前記現在のサブフレームで送信する前記ＰＵＣＣＨデータ及び／又は前記ＰＵＳＣＨデータを確定する第２の確定ブロックと、
前記現在のサブフレームで前記ＰＵＣＣＨデータ及び／又は前記ＰＵＳＣＨデータを送信し、及び／又は前記現在のサブフレームの最後のシンボルでＳＲＳを送信する送信ブロックと、を含み、
前記ＵＥが予め設定された規則に従って、現在のサブフレーム上の最後のシンボルでＰＵＣＣＨデータ及び／又はＰＵＳＣＨデータ又はＳＲＳを送信するか否かを確定することが、
前記ＵＥが前記現在のサブフレームでＡＣＫ／ＮＡＣＫ応答メッセージを含むＰＵＣＣＨフォーマット２／２ａ／２ｂと非周期的ＳＲＳを同時送信する場合、前記ＵＥが前記現在のサブフレームで前記ＰＵＣＣＨを送信し、前記非周期的ＳＲＳは送信しないと確定すること、又は、
前記ＵＥが前記現在のサブフレームでＡＣＫ／ＮＡＣＫ応答メッセージを含まないＰＵＣＣＨフォーマット２と非周期的ＳＲＳを同時送信する場合、前記ＵＥが前記現在のサブフレームで前記ＰＵＣＣＨを送信せず、前記非周期的ＳＲＳを送信すると確定することを含むことを特徴とするデータ送信装置。
【発明の詳細な説明】
【技術分野】
【０００１】
本発明は、通信分野に関し、具体的には、データの送信方法及び装置に関する。
【背景技術】
【０００２】
長期的進化（Ｌｏｎｇ  Ｔｅｒｍ  Ｅｖｏｌｕｔｉｏｎ、以下ＬＴＥと略称）システムにおける物理アップリンクチャネルに、物理ランダムアクセスチャネル（Ｐｈｙｓｉｃａｌ  Ｒａｎｄｏｍ  Ａｃｃｅｓｓ  Ｃｈａｎｎｅｌ、以下ＰＲＡＣＨと略称）、物理アップリンク共有チャネル（Ｐｈｙｓｉｃａｌ  ｕｐｌｉｎｋ  ｓｈａｒｅｄ  ｃｈａｎｎｅｌ、以下ＰＵＳＣＨと略称）、物理アップリンク制御チャネル（Ｐｈｙｓｉｃａｌ  ｕｐｌｉｎｋ  ｃｏｎｔｒｏｌ  ｃｈａｎｎｅｌ、以下ＰＵＣＣＨと略称）が含まれる。また、２種類の物理アップリンク信号が存在し、その一つはデータ／制御シグナルに復調を行う復調基準信号（Ｄｅｍｏｄｕｌａｔｉｏｎ  Ｒｅｆｅｒｅｎｃｅ  Ｓｉｇｎａｌ、以下ＤＭ  ＲＳと略称）であって、他の一つはアップリンクチャネルにサウンディングを行うサウンディング基準信号（Ｓｏｕｎｄｉｎｇ  Ｒｅｆｅｒｅｎｃｅ  Ｓｉｇｎａｌ、以下ＳＲＳと略称）である。ＰＵＳＣＨ／ＰＵＣＣＨは、それぞれ、通常のサイクリックプリフィックス（Ｎｏｒｍａｌ  Ｃｙｃｌｉｃ  Ｐｒｅｆｉｘ、以下Ｎｏｒｍａｌ  ＣＰと略称）と拡張のサイクリックプリフィックス（Ｅｘｔｅｎｄｅｄ  Ｃｙｃｌｉｃ  Ｐｒｅｆｉｘ、以下Ｅｘｔｅｎｄｅｄ  ＣＰと略称）の２つの異なるサイクリックプリフィックス（Ｃｙｃｌｉｃ  Ｐｒｅｆｉｘ、以下ＣＰと略称）長さを有する。
【０００３】
現在のＬＴＥシステムにおいて、物理アップリンク制御シグナル（Ｕｐｌｉｎｋ  Ｃｏｎｔｒｏｌ  Ｉｎｆｏｒｍａｔｉｏｎ、以下ＵＣＩと略称）は、肯定応答／否定応答メッセージと、チャネル状態情報（ＣＳＩ：Ｃｈａｎｎｅｌ  Ｓｔａｔｅ  Ｉｎｆｏｒｍａｔｉｏｎ、チャネル品質指標（ＣＱＩ：Ｃｈａｎｎｅｌ  Ｑｕａｌｉｔｙ  Ｉｎｄｉｃａｔｏｒ）、プリコーディングマトリクスインジケータ（ＰＭＩ：Ｐｒｅｃｏｄｉｎｇ  Ｍａｔｒｉｘ  Ｉｎｄｉｃａｔｏｒ）、ランクインジケータ（ＲＩ：Ｒａｎｋ  Ｉｎｄｉｃａｔｏｒ）を含む）と、スケジューリング要請（ＳＲ：Ｓｃｈｅｄｕｌｉｎｇ  Ｒｅｑｕｅｓｔ）と、同時送信するこれらの組合せを含む。また、ＬＴＥには、現在のサブフレームに送信しようとするＰＵＳＣＨがないと、１種又は複数種類（２種類のＵＣＩの組合せに限られる）の上記ＵＣＩをＰＵＣＣＨで送信し、現在のサブフレームで送信しようとするＰＵＳＣＨも存在すると、上記１種又は複数種類のＵＣＩはＰＵＳＣＨでデータと一緒に送信すると規定された。
【０００４】
ＬＴＥに、ＰＵＣＣＨ  ｆｏｒｍａｔ  １／１ａ／１ｂ（そのチャネル構造は図１に示すとおりである）とｆｏｒｍａｔ  ２／２ａ／２ｂ（そのチャネル構造は図２に示すとおりである）を含む複数種類のＰＵＣＣＨフォーマット（ｆｏｒｍａｔ）が定義され、ここで、ｆｏｒｍａｔ  １はＵＥのスケジューリング要請を送信するためのもので、ｆｏｒｍａｔ  １ａと１ｂはそれぞれ１ビットのＡＣＫ／ＮＡＣＫ応答メッセージと２ビットのＡＣＫ／ＮＡＣＫ応答メッセージをフィードバックするためのもので、ｆｏｒｍａｔ  ２はダウンリンクのチャネル状態情報を送信するためのもので、ｆｏｒｍａｔ  ２ａはＣＳＩと１ビットのＡＣＫ／ＮＡＣＫ応答メッセージを送信するためのもので、ｆｏｒｍａｔ  ２ｂはＣＳＩ情報と２ビットのＡＣＫ／ＮＡＣＫ応答メッセージを送信するためのものである。
【０００５】
また、ＰＵＣＣＨフォーマット１／１ａ／１ｂとＳＲＳとの同時送信を支援するため、ＬＴＥに、ＰＵＣＣＨフォーマット１／１ａ／１ｂのクリッピング構造（ｓｈｏｒｔｅｎｅｄ  ｆｏｒｍａｔ）が定義され、即ち、ＰＵＣＣＨは、サブフレームの最後のシンボルはＰＵＣＣＨを送信することに用いられず、サブフレームの最後のシンボルはＳＲＳを送信することに用いられる。クリッピング構造に対し、サブフレームの最後のシンボルがＰＵＣＣＨを送信することに用いられるのは正規のＰＵＣＣＨ構造（ｎｏｒｍａｌ  ｆｏｒｍａｔ）と呼ばれる。
【０００６】
ＳＲＳは、ＵＥが無線チャネル情報（Ｃｈａｎｎｅｌ  Ｓｔａｔｅ  Ｉｎｆｏｒｍａｔｉｏｎ、以下ＣＳＩと略称）の信号を測定するもので、長期進化システムにおいて、ＵＥはｅＮＢにより指示された帯域幅、周波数領域位置、シーケンス循環シフト、周期とサブフレームオフセット等のパラメーターに応じて、周期的に送信サブフレームの最後のデータシンボルでアップリンクＳＲＳを送信する。ｅＮＢは、受信したＳＲＳに基づいてＵＥのアップリンクのＣＳＩを判定し、得られたＣＳＩに基づいて周波数領域選択スケジューリング、閉ループパワー制御などの操作を行う。ＬＴＥは周期的なＳＲＳのみを支援する。従って、後述において、特別な説明がない限り、ＳＲＳはいずれも周期ＳＲＳである。
【０００７】
ＬＴＥにＳＲＳをサブフレーム内の最後のシンボルで伝送すると規定され、同時に、アップリンク信号の単一搬送波性を保持し、異なるユーザ間のＳＲＳとＰＵＳＣＨ／ＰＵＣＣＨ間の相互干渉を避けるため、ＬＴＥに以下のように規定されている。
（１）ＵＥがサブフレームで同時にＰＵＳＣＨとＳＲＳを送信する必要がある場合、対応するサブフレームの最後のシンボルでＰＵＳＣＨを送信せず、ＳＲＳをサブフレームの最後のシンボルで送信する。
（２）ＵＥがサブフレームでＰＵＳＣＨのみを送信する必要がある場合、上記サブフレームが上位階層から配置され、セル固有（Ｃｅｌｌーｓｐｅｃｉｆｉｃ）のＳＲＳを送信可能のサブフレームであると、ＰＵＳＣＨのリソースの割り当てが上位階層から配置され、セル固有のＳＲＳ帯域幅配置（ｂａｎｄｗｉｄｔｈ  ｃｏｎｆｉｇｕｒａｔｉｏｎ）とオーバーラップする際、上記サブフレームの最後のシンボルでＰＵＳＣＨを送信せず、そうでなければ、上記サブフレームの最後のシンボルでＰＵＳＣＨを送信する。
（３）ＵＥがサブフレームでＰＵＣＣＨとＳＲＳを同時送信する必要がある場合、上記ＰＵＣＣＨがＰＵＣＣＨフォーマット１／１ａ／１ｂであると、上位階層から配置されたパラメーターＳｉｍｕｌｔａｎｅｏｕｓ−ＡＮ−ａｎｄ−ＳＲＳがＴＲＵＥである際にＰＵＣＣＨはクリッピング構造で送信され、ＳＲＳはサブフレームの最後のシンボルで送信され、そうでなければ、ＰＵＣＣＨは正規の構造で送信され、同時にＳＲＳは放棄される（つまり、現在のサブフレームでＵＥはＳＲＳを送信しない）。
（４）ＵＥがサブフレームでＰＵＣＣＨとＳＲＳを同時送信する必要がある場合、上記ＰＵＣＣＨがＰＵＣＣＨフォーマット２／２ａ／２ｂであると、ＵＥはＰＵＣＣＨのみを送信し、同時にＳＲＳは放棄される。
【０００８】
高級国際移動通信（Ｉｎｔｅｒｎａｔｉｏｎａｌ  Ｍｏｂｉｌｅ  ＴｅｌｅｃｏｍｍｕｎｉｃａｔｉｏｎｓーＡｄｖａｎｃｅｄ、以下ＩＭＴ−Ａｄｖａｎｃｅｄと略称）システムにおいて、データの高速伝送を実現できると共に、大きいシステム容量を有し、低速で移動し、ホットスポットカバーの場合、ＩＭＴ−Ａｄｖａｎｃｅｄシステムのピーク速度は１Ｇｂｉｔ／ｓに達し、高速で移動し、広域カバーの場合、ＩＭＴ−Ａｄｖａｎｃｅｄシステムのピーク速度は１００Ｍｂｉｔ／ｓに達する。
【０００９】
高級国際電気通信連合（Ｉｎｔｅｒｎａｔｉｏｎａｌ  Ｔｅｌｅｃｏｍｍｕｎｉｃａｔｉｏｎ  ＵｎｉｏｎーＡｄｖａｎｃｅｄ、以下ＩＴＵ−Ａｄｖａｎｃｅｄと略称）の要求を満たすために、ＬＴＥの進化基準としての高級長期進化（Ｌｏｎｇ  Ｔｅｒｍ  Ｅｖｏｌｕｔｉｏｎ  Ａｄｖａｎｃｅｄ、以下ＬＴＥ−Ａと略称）システムはさらに大きいシステム帯域幅（最高１００ＭＨｚに達する）を支援しなければならず、ＬＴＥの既存の標準と後向互換を実現しなければならない。既存のＬＴＥシステムを基に、ＬＴＥシステムの帯域幅を合併してさらに大きい帯域幅を実現することができ、このような技術がキャリアアグリゲーション（Ｃａｒｒｉｅｒ  Ａｇｇｒｅｇａｔｉｏｎ、以下ＣＡと略称）技術と呼ばれ、該技術によると、ＩＭＴーＡｄｖａｎｃｅシステムのスペクトル利用率を向上でき、スペクトルリソース不足を緩和でき、スペクトルリソースの利用を最適化することができる。
【００１０】
キャリアアグリゲーションを導入したシステムにおいて、アグリゲーションを行ったキャリアがコンポーネントキャリア（Ｃｏｍｐｏｎｅｎｔ  Ｃａｒｒｉｅｒ、以下ＣＣと略称）と呼ばれ、セル（Ｃｅｌｌ）とも呼ばれる。同時に、メインコンポーネントキャリア／セル（Ｐｒｉｍａｒｙ  Ｃｏｍｐｏｎｅｎｔ  Ｃａｒｒｉｅｒ／Ｃｅｌｌ、以下ＰＣＣ／ＰＣｅｌｌと略称）とサブコンポーネントトキャリア／セル（Ｓｅｃｏｎｄａｒｙ  Ｃｏｍｐｏｎｅｎｔ  Ｃａｒｒｉｅｒ／Ｃｅｌｌ、以下ＳＣＣ／ＳＣｅｌｌと略称）の概念が提示され、キャリアアグリゲーションを行ったシステムにおいて、少なくとも一つのメインコンポーネントキャリアとサブコンポーネントトキャリアを含み、ここで、メインコンポーネントキャリアはずっとアクティブ状態である。後述において、コンポーネントキャリアとセルは等価なものである。
【００１１】
キャリアアグリゲーションを導入した後、ダウンリンクコンポーネントキャリアとＰＤＳＣＨ伝送ブロック及びＨＡＲＱプロセスとの関係についての検討において、基本ジョブが空間分割多重方式ではない場合、一つのダウンリンクコンポーネントキャリアは一つのＰＤＳＣＨ伝送ブロック及び一つのＨＡＲＱプロセスに対応し、つまり、ＵＥが各コンポーネントキャリアの一つのＰＤＳＣＨ伝送ブロックに対し１ビットのＡＣＫ／ＮＡＣＫ応答情報をフィードバックしなければならない。一方、空間分割多重方式である場合、現在、ＬＴＥ−Ａに最大２つの伝送ブロックを支援すると規定されている。従って、空間分割多重方式である場合、ＵＥは各ダウンリンクコンポーネントキャリアの２つのＰＤＳＣＨ伝送ブロックに対し２ビットのＡＣＫ／ＮＡＣＫ応答メッセージをフィードバックしなければならない。
【００１２】
スペクトルアグリゲーション技術を用いたＬＴＥ−Ａシステムにおいて、アップリンク帯域幅とダウンリンク帯域幅は複数のコンポーネントキャリアを含むことができる。基地局が複数のダウンリンクコンポーネントキャリアにいずれもＵＥにスケジューリングしたＰＤＳＣＨが存在し、且つＵＥが現在のサブフレームに送信しようとするＰＵＳＣＨがないと、端末装置は当該複数のダウンリンクコンポーネントキャリアのＰＤＳＣＨにより伝送するＡＣＫ／ＮＡＣＫ応答メッセージをＰＵＣＣＨでフィードバックしなければならない。あるジョブがこのようなＡＣＫ／ＮＡＣＫ応答メッセージをＵＥ−ｓｐｅｃｉｆｉｃのアップリンクコンポーネントキャリアによって送信することであると仮定し、ＳＲ情報について、現在のジョブがＵＥにより一つのＳＲのみを送信し、当該ＳＲ情報をＵＥ−ｓｐｅｃｉｆｉｃのアップリンクコンポーネントキャリアによって送信することである仮定し、ＣＳＩ情報について、現在のジョブがＣＳＩ情報をＵＥ−ｓｐｅｃｉｆｉｃのアップリンクコンポーネントキャリアによって送信することであると仮定する。
【００１３】
ＬＴＥ−Ａシステムにおいて、現在のジョブが、ＳＲ情報について、ＵＥがＰＵＣＣＨ  ｆｏｒｍａｔ  １によって送信することで、ＣＳＩについて、ＵＥがＰＵＣＣＨ  ｆｏｒｍａｔ  ２によって送信することで、ＡＣＫ／ＮＡＣＫ応答メッセージについて、ＬＴＥに定義されたＰＵＣＣＨ  ｆｏｒｍａｔ  １ａと１ｂを使用してチャネル選択（ｍｕｌｔｉｐｌｅｘｉｎｇ  ｗｉｔｈ  ｃｈａｎｎｅｌ  ｓｅｌｅｃｔｉｏｎ）できる以外、ＬＴＥ−Ａに新しいＤＦＴ−ｓ−ＯＦＤＭに基づくフォーマットが追加され、それはさらに大きい負荷のＡＣＫ／ＮＡＣＫ応答メッセージを送信するためのものであって、そのチャネル構造は図３に示すとおりで、説明の便宜のため、このような構造をＰＵＣＣＨ  Ｆｏｒｍａｔ  ３と称する。最大４ビットのＡＣＫ／ＮＡＣＫのフィードバックを支援できるＵＥの場合、そのＡＣＫ／ＮＡＣＫのフィードバックはＰＵＣＣＨフォーマット１ｂにチャネル選択を結合した方式で実現し、４ビット以上のＡＣＫ／ＮＡＣＫのフィードバックを支援できるヘビーＵＥの場合、上位階層のシグナルにより配置する方式でＵＥがどの方式でＡＣＫ／ＮＡＣＫをフィードバックするかを指示する。
【００１４】
キャリアアグリゲーション技術以外、ＬＴＥ−Ａにはアップリンクマルチアンテナも導入されていて、最大４本のアンテナをアップリンク送信アンテナとすることができる。従って、各アップリンク送信アンテナのチャネル状態情報を取得するために、ＵＥは複数本のアンテナでＳＲＳを同時送信しなければならない。
【００１５】
既存のＬＴＥ−Ａの研究によると、アップリンク通信中、非プリコーディング（即ち、アンテナ固有）のＳＲＳを使用しなければならず、ＰＵＳＣＨのＤＭＲＳについてはプリコーディングを行う。基地局は非プリコーディングのＳＲＳを受信し、アップリンクの最初ＣＳＩを推定でき、プリコーディングしたＤＭＲＳによっては基地局がアップリンクの最初のＣＳＩを推定することができない。この時、ＵＥが複数のアンテナを介して非プリコーディングのＳＲＳを送信する場合、各ＵＥに必要なＳＲＳリソースはいずれも増加され、システム内の同時に多重化可能のＵＥ数量が低減されてしまう。また、ＬＴＥの元の周期（ｐｅｒｉｏｄｉｃ）でのＳＲＳの送信を保留する以外、ＳＲＳリソースの利用率を改善し、リソーススケジューリングの柔軟性を向上するため、ダウンリンク制御情報又は上位階層のシグナルを介してＵＥに非周期（ａｐｅｒｉｏｄｉｃ）でのＳＲＳの送信を配置することができる。
【００１６】
ＬＴＥ−Ａにおいて、アップリンクリソースをさらに充分に利用するため、且つキャリアアグリゲーションの応用場面においてチャネル品質が通常良好であることに鑑み、アップリンク信号の単一搬送波性についての要求を緩め、ＰＵＣＣＨとＰＵＳＣＨの同時送信を許した。ＵＥのＰＵＣＣＨとＰＵＳＣＨの同時送信を許可するか否かを上位階層パラメーターによって配置することができる。
【００１７】
従って、ＬＴＥ−Ａシステムにおいて、各種の新しい技術、例えばキャリアアグリゲーション、アップリンクマルチアンテナ、ＰＵＣＣＨフォーマット３、非周期ＳＲＳ、ＰＵＣＣＨとＰＵＳＣＨの同時伝送等が導入される場合、既存のＵＥによると複数種類の物理アップリンク信号／チャネルの同時送信を実現することができない。
【発明の概要】
【発明が解決しようとする課題】
【００１８】
本発明は、各種の新しい技術が導入される時、既存のＵＥが複数種類の物理アップリンク信号／チャネルを同時送信できない問題に鑑み、当該問題を解決できるデータ送信方法及び装置を提供することをその目的とする。
【課題を解決するための手段】
【００１９】
上記目的を実現するため、本発明の一態様によると、データの送信方法を提供する。
【００２０】
本発明によるデータ送信方法は、ＵＥが予め設定された規則に従って、現在のサブフレーム上の最後のシンボルでＰＵＣＣＨデータ及び／又はＰＵＳＣＨデータ又はＳＲＳを送信するか否かを確定し、ＵＥが現在のサブフレームの最後のシンボルでＰＵＣＣＨデータ及び／又はＰＵＳＣＨデータを送信可能である否かに基づいて、現在のサブフレームで送信するＰＵＣＣＨデータ及び／又はＰＵＳＣＨデータを確定し、ＵＥが現在のサブフレームでＰＵＣＣＨデータ及び／又はＰＵＳＣＨデータを送信し、及び／又は現在のサブフレームの最後のシンボルでＳＲＳを送信するステップを含む。
【００２１】
ＵＥが予め設定された規則に従って、現在のサブフレーム上の最後のシンボルでＰＵＣＣＨデータ又はＰＵＳＣＨデータ又はＳＲＳを送信するか否かを確定する（規則１）ことが、現在のサブフレームがＰＵＳＣＨが位置するコンポーネントキャリアの上位階層から配置され、セル固有のＳＲＳを送信するサブフレームであると、ＵＥが現在のサブフレームの最後のシンボルでＰＵＳＣＨを送信しないと確定することを含む。
【００２２】
ＵＥが予め設定された規則に従って、現在のサブフレーム上の最後のシンボルでＰＵＣＣＨデータ及び／又はＰＵＳＣＨデータ又はＳＲＳを送信するか否かを確定する（規則２）ことが、現在のサブフレームがＰＵＳＣＨが位置するコンポーネントキャリアの上位階層から配置され、セル固有のＳＲＳを送信するサブフレームであって、且つＰＵＳＣＨのリソースの割り当てがコンポーネントキャリアの上位階層から配置され、セル固有のＳＲＳ帯域幅の配置とオーバーラップすると、ＵＥが現在のサブフレームの最後のシンボルでＰＵＳＣＨを送信しないと確定することを含む。
【００２３】
ＵＥが予め設定された規則に従って、現在のサブフレーム上の最後のシンボルでＰＵＣＣＨデータ及び／又はＰＵＳＣＨデータ又はＳＲＳを送信するか否かを確定する（規則３）ことが、現在のサブフレームがＰＵＳＣＨが位置するコンポーネントキャリア又はＵＥのコンポーネントキャリアの中のＰＵＳＣＨが位置するコンポーネントキャリア以外の他のコンポーネントキャリアの上位階層から配置され、セル固有のＳＲＳを送信するサブフレームであると、ＵＥが現在のサブフレームの最後のシンボルでＰＵＳＣＨを送信しないと確定することを含む。
【００２４】
ＵＥが予め設定された規則に従って、現在のサブフレーム上の最後のシンボルでＰＵＣＣＨデータ及び／又はＰＵＳＣＨデータ又はＳＲＳを送信するか否かを確定する（規則４）ことが、ＰＵＣＣＨがフォーマット１／１ａ／１ｂ／３であって、且つＵＥのＡＣＫ／ＮＡＣＫとＳＲＳの同時送信を許可する上位階層配置パラメーターがＴＲＵＥであって、且つ現在のサブフレームがＵＥのメインコンポーネントキャリアの上位階層から配置され、セル固有のＳＲＳを送信するサブフレームであると、ＵＥが現在のサブフレームの最後のシンボルでＰＵＣＣＨを送信しないと確定することを含む。
【００２５】
ＵＥが現在のサブフレームの最後のシンボルでＰＵＣＣＨデータ及び／又はＰＵＳＣＨデータを送信可能であるか否かに基づいて、現在のサブフレームで送信するＰＵＣＣＨデータ及び／又はＰＵＳＣＨデータを確定することが、現在のサブフレームの最後のシンボルでＰＵＳＣＨを送信できないと、ＵＥがＰＵＳＣＨの伝送が占める時間領域シンボル数を確定する際、ＮＳＲＳを１に設定し、そうでなければ、ＮＳＲＳを０に設定し、ここで、ＮＳＲＳは現在のサブフレームでＳＲＳを送信する必要があるか否かを示す変数であって、現在のサブフレームの最後のシンボルでＰＵＣＣＨフォーマット１／１ａ／１ｂ／３を送信できない場合、ＰＵＣＣＨは現在のサブフレームでクリッピング構造でＰＵＣＣＨデータを送信し、そうでなければ、正規構造でＰＵＣＣＨデータを送信する。
【００２６】
ＵＥは、式
【数１】
0005869588.tif 000002
に従ってＰＵＳＣＨの伝送が占める時間領域シンボル数を計算し、ここで、
【数２】
0005869588.tif 000003
はＰＵＳＣＨの伝送が占める時間領域シンボル数で、
【数３】
0005869588.tif 000004
は１タイムスロット内の送信可能のシンボル数である。
【００２７】
ＵＥが予め設定された規則に従って、現在のサブフレーム上の最後のシンボルでＰＵＣＣＨデータ及び／又はＰＵＳＣＨデータ又はＳＲＳを送信するか否かを確定する（規則５）ことが、ＵＥが現在のサブフレームで複数のアップリンクコンポーネントキャリアのＳＲＳを同時送信し、且つ現在のサブフレームの最後のシンボルでＵＥのＰＵＳＣＨデータ及び／又はＰＵＣＣＨデータを送信しない場合、ＵＥが予め設定された優先順原則に従って、現在のサブフレームの最後のシンボルで優先順位の高いＳＲＳを送信することを含む。
【００２８】
ＵＥが予め設定された規則に従って、現在のサブフレーム上の最後のシンボルでＰＵＣＣＨデータ及び／又はＰＵＳＣＨデータ又はＳＲＳを送信するか否かを確定する（規則５）ことが、高級長期的進化ＬＴＥ−Ａシステムにおいて、ＵＥが現在のサブフレームで複数のアップリンクコンポーネントキャリアのＳＲＳを同時送信し、且つ現在のサブフレームの最後のシンボルでＵＥのＰＵＳＣＨデータ及び／又はＰＵＣＣＨデータを送信しない場合、ＵＥが予め設定された優先順原則に従って、現在のサブフレームの最後のシンボルで優先順位が最も高いＳＲＳを送信することを含む。
【００２９】
ＵＥが予め設定された規則に従って、現在のサブフレーム上の最後のシンボルでＰＵＣＣＨデータ及び／又はＰＵＳＣＨデータ又はＳＲＳを送信するか否かを確定する（規則５）ことが、ＵＥが現在のサブフレームで複数のアップリンクコンポーネントキャリアのＳＲＳを同時送信し、且つ現在のサブフレームの最後のシンボルでＵＥのＰＵＳＣＨデータ及び／又はＰＵＣＣＨデータを送信しない場合、上位階層シグナルによってＵＥにサブフレームの最後のシンボルでｎ個のＳＲＳの同時送信を許可すると配置された場合、ＵＥは予め設定された優先順原則に従って、現在のサブフレームの最後のシンボルで優先順位の高いｎ個のＳＲＳを送信し、ｎは１を超える整数であって、又は、上位階層シグナルによってＵＥにサブフレームの最後のシンボルでｎ個のＳＲＳの同時送信を許可しないと配置された場合、ＵＥは予め設定された優先順原則に従って、現在のサブフレームの最後のシンボルで優先順位が最も高いＳＲＳを送信することを含む。
【００３０】
上位階層シグナルによってＵＥにサブフレームの最後のシンボルでｎ個のＳＲＳの同時送信を許可すると配置されることが、上位階層シグナルがＬＴＥ−Ａシステムに新たに追加された上位階層シグナル、又は上位階層シグナルがＬＴＥ−Ａシステムに定義されたＰＵＳＣＨとＰＵＣＣＨの同時伝送の許可を指示する上位階層シグナルであって、ＰＵＳＣＨとＰＵＣＣＨの同時伝送を許可する上位階層シグナルを真（ＴＲＵＥ）又はオン（ＯＮ）に配置することによって、ＵＥにｎ個のＳＲＳの同時送信の許可を指示し、ＰＵＳＣＨとＰＵＣＣＨの同時伝送を許可する上位階層シグナルを偽（ＦＡＬＳＥ）又はオフ（ＯＦＦ）に配置することによって、ＵＥに一つのＳＲＳのみの送信を指示する方式の中の一つを含む。
【００３１】
予め設定された優先順原則（優先順原則１）が、アップリンクコンポーネントキャリアの優先順位を対応するコンポーネントキャリアでＳＲＳを送信する優先順位に設定することを含む。
【００３２】
予め設定された優先順原則（優先順原則２）が、まず、非周期的ＳＲＳの優先順位を周期的ＳＲＳの優先順位より高く設定し、次に、メインアップリンクコンポーネントキャリア上のＳＲＳの優先順位を他のコンポーネントキャリア上の優先順位より高く設定し、その次、同時にＵＣＩを含むＰＵＳＣＨを送信するコンポーネントキャリア上のＳＲＳの優先順位を同時にＵＣＩを含まないＰＵＳＣＨを送信するコンポーネントキャリアのＳＲＳの優先順位より高く設定し、その次、同時にＰＵＳＣＨを送信するコンポーネントキャリア上のＳＲＳの優先順位を同時にＰＵＳＣＨを送信しないコンポーネントキャリアのＳＲＳの優先順位より高く設定し、上記優先順位の原則を応用した後に、複数のコンポーネントキャリア上のＳＲＳの優先順位が依然として同一であると、アップリンクコンポーネントキャリアの優先順位を対応する複数のコンポーネントキャリア上のＳＲＳの優先順位に設定する方式の中の少なくとも一つを含む。
【００３３】
ＵＥが予め設定された規則に従って、現在のサブフレーム上の最後のシンボルでＰＵＣＣＨデータ及び／又はＰＵＳＣＨデータ又はＳＲＳを送信するか否かを確定する（規則６）ことが、ＵＥが現在のサブフレームでＰＵＣＣＨフォーマット２／２ａ／２ｂと周期ＳＲＳを同時送信する場合、ＵＥが現在のサブフレームでＰＵＣＣＨを送信し、周期的ＳＲＳを送信しないと確定することを含む。
【００３４】
ＵＥが予め設定された規則に従って、現在のサブフレーム上の最後のシンボルでＰＵＣＣＨデータ及び／又はＰＵＳＣＨデータ又はＳＲＳを送信するか否かを確定する（規則６）ことが、ＵＥが現在のサブフレームでＡＣＫ／ＮＡＣＫ応答メッセージを含むＰＵＣＣＨフォーマット２／２ａ／２ｂと非周期的ＳＲＳを同時送信する場合、ＵＥが現在のサブフレームでＰＵＣＣＨを送信し、非周期的ＳＲＳは送信しないと確定することを含む。
【００３５】
ＵＥが予め設定された規則に従って、現在のサブフレーム上の最後のシンボルでＰＵＣＣＨデータ及び／又はＰＵＳＣＨデータ又はＳＲＳを送信するか否かを確定する（規則６）ことが、ＵＥが現在のサブフレームでＡＣＫ／ＮＡＣＫ応答メッセージを含まないＰＵＣＣＨフォーマット２と非周期的ＳＲＳを同時送信する場合、ＵＥが現在のサブフレームでＰＵＣＣＨを送信せず、非周期的ＳＲＳを送信すると確定することを含む。
【００３６】
ＵＥが予め設定された規則に従って、現在のサブフレーム上の最後のシンボルでＰＵＣＣＨデータ及び／又はＰＵＳＣＨデータ又はＳＲＳを送信するか否かを確定する（規則７）ことが、ＵＥが現在のサブフレームでＰＵＳＣＨ又はＰＵＣＣＨフォーマット１／１ａ／１ｂ／３とＳＲＳを同時送信し、且つ現在のサブフレームの最後のシンボルでＵＥのＰＵＳＣＨデータ又はＰＵＣＣＨのフォーマット１／１ａ／１ｂ／３を送信する場合、ＵＥが現在のサブフレームでＰＵＳＣＨデータ又はＰＵＣＣＨデータを送信し、現在のサブフレームの最後のシンボルでＳＲＳを送信しないと確定することを含む。
【００３７】
ＵＥが予め設定された規則に従って、現在のサブフレーム上の最後のシンボルでＰＵＣＣＨデータ及び／又はＰＵＳＣＨデータ又はＳＲＳを送信するか否かを確定する（規則８）ことが、ＵＥが現在のサブフレームでＰＵＳＣＨ又はＰＵＣＣＨフォーマット１／１ａ／１ｂ／３とＳＲＳを同時送信し、且つ現在のサブフレームの最後のシンボルでＵＥのＰＵＳＣＨデータ又はＰＵＣＣＨデータのフォーマット１／１ａ／１ｂ／３を送信しない場合、ＵＥが現在のサブフレーム中の最後のシンボルを除く他のシンボルでＰＵＳＣＨデータ又はＰＵＣＣＨデータを送信し、現在のサブフレームの最後のシンボルでＳＲＳを送信すると確定することを含む。

【００３８】
ＵＥが予め設定された規則に従って、現在のサブフレーム上の最後のシンボルでＰＵＣＣＨデータ及び／又はＰＵＳＣＨデータ又はＳＲＳを送信するか否かを確定することが、ＵＥが現在のサブフレームでＰＵＣＣＨ、ＰＵＳＣＨ及びＳＲＳを同時送信し、且つＰＵＳＣＨとＰＵＣＣＨの同時伝送の許可を指示する上位階層シグナルが真（ＴＲＵＥ）又はオン（ＯＮ）であると、ＵＥがまずＰＵＣＣＨとＳＲＳを同一のサブフレームで送信する処理方法に従って、ＰＵＣＣＨとＳＲＳの送信を確定し、上記処理方法に従って処理した後も、サブフレームの最後のシンボルでＳＲＳを送信する必要があると、さらにＰＵＳＣＨとＳＲＳを同一のサブフレームで送信する処理方法に従って、ＰＵＳＣＨとＳＲＳの送信を確定することを含む。
【００３９】
ＰＵＣＣＨとＳＲＳを同一のサブフレームで送信する処理方法に従って、ＰＵＣＣＨとＳＲＳの送信を確定することが、ＵＥが現在のサブフレームでＰＵＣＣＨフォーマット２／２ａ／２ｂと周期ＳＲＳを同時送信する場合、ＵＥが現在のサブフレームでＰＵＣＣＨを送信し、周期的ＳＲＳを送信しないと確定し、ＵＥが現在のサブフレームでＡＣＫ／ＮＡＣＫ応答メッセージを含むＰＵＣＣＨフォーマット２／２ａ／２ｂと非周期的ＳＲＳを同時送信する場合、ＵＥが現在のサブフレームでＰＵＣＣＨを送信し、非周期的ＳＲＳを送信しないと確定し、ＵＥが現在のサブフレームでＡＣＫ／ＮＡＣＫ応答メッセージを含まないＰＵＣＣＨフォーマット２と非周期的ＳＲＳを同時送信する場合、ＵＥが現在のサブフレームでＰＵＣＣＨを送信せず、非周期的ＳＲＳを送信すると確定し、ＵＥが現在のサブフレームでＰＵＣＣＨフォーマット１／１ａ／１ｂ／３とＳＲＳを同時送信し、且つ現在のサブフレームの最後のシンボルでＵＥのＰＵＣＣＨのフォーマット１／１ａ／１ｂ／３を送信する場合、ＵＥが現在のサブフレームでＰＵＣＣＨデータを送信し、現在のサブフレームの最後のシンボルでＳＲＳを送信しないと確定し、ＵＥが現在のサブフレームでＰＵＣＣＨフォーマット１／１ａ／１ｂ／３とＳＲＳを同時送信し、且つ現在のサブフレームの最後のシンボルでＵＥのＰＵＣＣＨフォーマット１／１ａ／１ｂ／３を送信しない場合、ＵＥが現在のサブフレーム中の最後のシンボルを除くシンボルでＰＵＣＣＨデータを送信し、現在のサブフレームの最後のシンボルでＳＲＳを送信すると確定することを含む。
【００４０】
ＵＥが予め設定された規則に従って、現在のサブフレーム上の最後のシンボルでＰＵＣＣＨデータ及び／又はＰＵＳＣＨデータ又はＳＲＳを送信するか否かを確定することが、ＵＥが現在のサブフレームでＰＵＣＣＨ、ＰＵＳＣＨ及びＳＲＳを同時送信し、且つＰＵＳＣＨとＰＵＣＣＨの同時伝送の許可を指示する上位階層シグナルが偽（ＦＡＬＳＥ）又はオフ（ＯＦＦ）である場合、ＵＥは、まずＰＵＣＣＨが含んだＵＣＩ情報をＰＵＳＣＨで送信し、その後、ＰＵＳＣＨとＳＲＳを同一のサブフレームで送信する処理方法に従って、ＰＵＳＣＨとＳＲＳの送信を確定する。
【００４１】
ＰＵＳＣＨとＳＲＳを同一のサブフレームで送信する処理方法に従って、ＰＵＳＣＨとＳＲＳの送信を確定することが、ＵＥが現在のサブフレームでＰＵＳＣＨデータとＳＲＳを同時送信し、且つ現在のサブフレームの最後のシンボルでＵＥのＰＵＳＣＨデータを送信する場合、ＵＥが現在のサブフレームでＰＵＳＣＨデータを送信し、現在のサブフレームの最後のシンボルでＳＲＳを送信しないと確定し、ＵＥが現在のサブフレームでＰＵＳＣＨデータとＳＲＳを同時送信し、且つ現在のサブフレームの最後のシンボルでＵＥのＰＵＳＣＨを送信しない場合、ＵＥが現在のサブフレーム中の最後のシンボルを除くシンボルでＰＵＳＣＨデータを送信し、現在のサブフレームの最後のシンボルでＳＲＳを送信すると確定することを含む。
【００４２】
上記目的を実現するため、本発明の他の一態様によると、データ送信装置を提供する。
本発明によるデータ送信装置は、予め設定された規則に従って、現在のサブフレーム上の最後のシンボルでＰＵＣＣＨデータ及び／又はＰＵＳＣＨデータ又はＳＲＳを送信するか否かを確定する第１の確定ブロックと、現在のサブフレームの最後のシンボルでＰＵＣＣＨデータ及び／又はＰＵＳＣＨデータを送信可能であるか否かに基づいて、現在のサブフレームで送信するＰＵＣＣＨデータ及び／又はＰＵＳＣＨデータを確定する第２の確定ブロックと、現在のサブフレームでＰＵＣＣＨデータ及び／又はＰＵＳＣＨデータを送信し、及び／又は現在のサブフレームの最後のシンボルでＳＲＳを送信する送信ブロックと、を含む。
【発明の効果】
【００４３】
本発明によると、異なる予め設定された規則に従ってＰＵＣＣＨデータ及び／又はＰＵＳＣＨデータ及び／又はＳＲＳを送信することによって、複数種類の物理アップリンク信号／チャネルの同時送信を実現できる。
【図面の簡単な説明】
【００４４】
ここで説明する図面は本発明を理解するためのもので、本発明の一部を構成し、本発明における実施例と共に本発明を解釈し、本発明を不当に限定するものではない。
【図１】図１は、関連技術によるＰＵＣＣＨフォーマット１／１ａ／１ｂの構造を示す図である。
【図２】図２は、関連技術によるＰＵＣＣＨフォーマット２／２ａ／２ｂの構造を示す図である。
【図３】図３は、関連技術によるＰＵＣＣＨフォーマット３の構造を示す図である。
【図４】図４は、本発明の実施例によるデータ送信方法のフローチャートである。
【図５】図５は、本発明の実施例によるＰＵＣＣＨ、ＰＵＳＣＨ、ＳＲＳの時間領域位置を示す図である。
【図６】図６は、本発明の実施例によるＰＵＳＣＨとＳＲＳの同一のコンポーネントキャリアにおける多重化を示す図である。
【図７】図７は、本発明の実施例によるＰＵＳＣＨとＳＲＳの異なるコンポーネントキャリアにおける多重化を示す図である。
【図８】図８は、本発明の実施例によるＰＵＳＣＨとＳＲＳの異なるコンポーネントキャリアにおける多重化を示す図である。
【図９】図９は、本発明の実施例によるＰＵＳＣＨとＳＲＳの異なるコンポーネントキャリアにおける多重化を示す図である。
【図１０】図１０は、本発明の実施例による他のＰＵＳＣＨとＳＲＳの異なるコンポーネントキャリアにおける多重化を示す図である。
【図１１】図１１は、本発明の実施例によるＰＵＣＣＨとＳＲＳの同一のコンポーネントキャリアにおける多重化を示す図である。
【図１２】図１２は、本発明の実施例によるＰＵＣＣＨとＳＲＳの同一のコンポーネントキャリアにおける多重化を示す図である。
【図１３】図１３は、本発明の実施例によるＰＵＣＣＨとＳＲＳの同一のコンポーネントキャリアにおける多重化を示す図である。
【図１４】図１４は、本発明の実施例によるＰＵＣＣＨとＳＲＳの異なるコンポーネントキャリアにおける多重化を示す図である。
【図１５】図１５は、本発明の実施例によるＰＵＣＣＨとＳＲＳの異なるコンポーネントキャリアにおける多重化を示す図である。
【図１６】図１６は、本発明の実施例による複数のＳＲＳの異なるコンポーネントキャリアにおける多重化を示す図である。
【図１７】図１７は、本発明の実施例による複数のＳＲＳの異なるコンポーネントキャリアにおける多重化を示す図である。
【図１８】図１８は、本発明の実施例による複数のＳＲＳの異なるコンポーネントキャリアにおける多重化を示す図である。
【図１９】図１９は、本発明の実施例によるデータ送信装置の構造を示すブロック図である。
【発明を実施するための形態】
【００４５】
以下、図面を参照しつつ実施例に合わせ、本発明を詳しく説明する。ここで、互いに矛盾しない限り、本願に記載の実施例及び実施例に記載の特徴を互いに組み合わせることができる。
【００４６】
本発明によると、データの送信方法を提供する。図４は、本発明の実施例に係わるデータ送信方法を示すフローチャートで、図４に示すように、以下のステップＳ４０２〜ステップＳ４０６を含む。
【００４７】
ＵＥは、予め設定された規則に従って、現在のサブフレームの最後のシンボルで物理アップリンク制御チャネルＰＵＣＣＨデータ及び／又は物理アップリンク共有チャネルＰＵＳＣＨデータ又はサウンディング基準信号ＳＲＳを送信するか否かを確定する（ステップＳ４０２）。
【００４８】
ＵＥは、現在のサブフレームの最後のシンボルでＰＵＣＣＨデータ及び／又はＰＵＳＣＨデータを送信可能であるか否かに基づいて、現在のサブフレームで送信するＰＵＣＣＨデータ及び／又はＰＵＳＣＨデータを確定する（ステップＳ４０４）。
【００４９】
ＵＥは、現在のサブフレームでＰＵＣＣＨデータ及び／又はＰＵＳＣＨデータを送信し、及び／又は現在のサブフレームの最後のシンボルでＳＲＳを送信する（ステップＳ４０６）。
【００５０】
ＵＥが予め設定された規則に従って、現在のサブフレームの最後のシンボルでＰＵＣＣＨデータ又はＰＵＳＣＨデータ又はＳＲＳを送信するか否かを確定する（規則１）ことが、現在のサブフレームがＰＵＳＣＨが位置するコンポーネントキャリアの上位階層から配置され、セル固有のＳＲＳを送信するサブフレームである場合、ＵＥが現在のサブフレームの最後のシンボルでＰＵＳＣＨを送信しないと確定することを含むことが好ましい。
【００５１】
ＵＥが予め設定された規則に従って、現在のサブフレームの最後のシンボルでＰＵＣＣＨデータ及び／又はＰＵＳＣＨデータ又はＳＲＳを送信するか否かを確定する（規則２）ことが、現在のサブフレームがＰＵＳＣＨが位置するコンポーネントキャリアの上位階層から配置され、セル固有のＳＲＳを送信するサブフレームであってＰＵＳＣＨのリソースの割り当てがコンポーネントキャリア上位階層から配置され、セル固有のＳＲＳ帯域幅配置とオーバーラップすると、ＵＥが現在のサブフレームの最後のシンボルでＰＵＳＣＨを送信しないと確定することを含むことが好ましい。
【００５２】
ＵＥが予め設定された規則に従って、現在のサブフレームの最後のシンボルでＰＵＣＣＨデータ及び／又はＰＵＳＣＨデータ又はＳＲＳを送信するか否かを確定する（規則３）ことが、現在のサブフレームがＰＵＳＣＨが位置するコンポーネントキャリア又はＵＥのコンポーネントキャリア中のＰＵＳＣＨが位置するコンポーネントキャリア以外の他のコンポーネントキャリアの上位階層から配置され、セル固有のＳＲＳを送信するサブフレームである場合、ＵＥが現在のサブフレームの最後のシンボルでＰＵＳＣＨを送信しないと確定することを含むことが好ましい。
【００５３】
ＵＥが予め設定された規則に従って、現在のサブフレームの最後のシンボルでＰＵＣＣＨデータ及び／又はＰＵＳＣＨデータ又はＳＲＳを送信するか否かを確定する（規則４）ことが、ＰＵＣＣＨがフォーマット１／１ａ／１ｂ／３であって、且つＵＥのＡＣＫ／ＮＡＣＫとＳＲＳの同時伝送を許可する上位階層配置パラメーターがＴＲＵＥであって、且つ現在のサブフレームがＵＥのメインコンポーネントキャリアの上位階層から配置され、セル固有のＳＲＳを送信するサブフレームである場合、ＵＥが現在のサブフレームの最後のシンボルでＰＵＣＣＨを送信しないと確定することを含むことが好ましい。
【００５４】
ＵＥが現在のサブフレームの最後のシンボルでＰＵＣＣＨデータ及び／又はＰＵＳＣＨデータを送信可能であるか否かに基づいて、現在のサブフレームで送信するＰＵＣＣＨデータ及び／又はＰＵＳＣＨデータを確定することが、現在のサブフレームの最後のシンボルでＰＵＳＣＨを送信できない場合、ＵＥはＰＵＳＣＨの伝送が占める時間領域シンボル数を確定する時、ＮＳＲＳを１に設定し、そうでなければ、ＮＳＲＳを０に設定することが好ましく、ここで、ＮＳＲＳは現在のサブフレームでＳＲＳを送信する必要があるか否かを示す変数である。現在のサブフレームの最後のシンボルでＰＵＣＣＨフォーマット１／１ａ／１ｂ／３を送信できない場合、ＰＵＣＣＨは現在のサブフレームでクリッピング構造でＰＵＣＣＨデータを送信し、そうでなければ、正規構造でＰＵＣＣＨデータを送信する。
【００５５】
ＵＥが、式
【数４】
0005869588.tif 000005
に従って、ＰＵＳＣＨの伝送が占める時間領域シンボル数を計算することが好ましく、ここで、
【数５】
0005869588.tif 000006
はＰＵＳＣＨの伝送が占める時間領域シンボル数で、
【数６】
0005869588.tif 000007
は一つのタイムスロットで送信可能のシンボル数である。
【００５６】
ＵＥが予め設定された規則に従って、現在のサブフレームの最後のシンボルでＰＵＣＣＨデータ及び／又はＰＵＳＣＨデータ又はＳＲＳを送信するか否かを確定する（規則５）ことが、ＵＥが現在のサブフレームで複数のアップリンク／ダウンリンクコンポーネントキャリアのＳＲＳを同時送信し、且つ現在のサブフレームの最後のシンボルでＵＥのＰＵＳＣＨデータ及び／又はＰＵＣＣＨデータを送信しない場合、ＵＥが予め設定された優先順位の原則に従って、現在のサブフレームの最後のシンボルで優先順位の高いＳＲＳを送信することを含むことが好ましい。
【００５７】
ＵＥが予め設定された規則に従って、現在のサブフレームの最後のシンボルでＰＵＣＣＨデータ及び／又はＰＵＳＣＨデータ又はＳＲＳを送信するか否かを確定する（規則５）ことが、高級長期進化ＬＴＥ−Ａシステムにおいて、ＵＥが現在のサブフレームで複数のアップリンクコンポーネントキャリアのＳＲＳを同時送信し、且つ現在のサブフレームの最後のシンボルでＵＥのＰＵＳＣＨデータ及び／又はＰＵＣＣＨデータを送信しない場合、ＵＥは予め設定された優先順位の原則に従って、現在のサブフレームの最後のシンボルで優先順位が最も高いＳＲＳを送信することを含むことが好ましい。
【００５８】
ＵＥが予め設定された規則に従って、現在のサブフレームの最後のシンボルでＰＵＣＣＨデータ及び／又はＰＵＳＣＨデータ又はＳＲＳを送信するか否かを確定する（規則５）ことが、ＵＥが現在のサブフレームで複数のアップリンクコンポーネントキャリアのＳＲＳを同時送信し、且つ現在のサブフレームの最後のシンボルでＵＥのＰＵＳＣＨデータ及び／又はＰＵＣＣＨデータを送信しない場合、上位階層のシグナルによってＵＥにサブフレームの最後のシンボルでｎ個のＳＲＳの同時送信を許可することが配置された場合、ＵＥは予め設定された優先順位原則に従って、現在のサブフレームの最後のシンボルで優先順位の高いｎ個のＳＲＳを送信し、ｎは１を超える整数で、又は、上位階層のシグナルによってＵＥにサブフレームの最後のシンボルでｎ個ＳＲＳの同時送信を許可しないことが配置された場合、ＵＥが予め設定された優先順位原則に従って、現在のサブフレームの最後のシンボルで優先順位が最も高いＳＲＳを送信するのを含むことが好ましい。
【００５９】
上位階層のシグナルによってＵＥにサブフレームの最後のシンボルでｎ個ＳＲＳの同時送信を許可することが配置されることが、上位階層のシグナルがＬＴＥ−Ａシステムに新たに追加された上位階層のシグナルであるか、又は上位階層のシグナルがＬＴＥ−Ａシステムに定義され、ＰＵＳＣＨとＰＵＣＣＨの同時伝送を許可する上位階層のシグナルであるか、ＰＵＳＣＨとＰＵＣＣＨの同時伝送の許可を指示する上位階層のシグナルを真（ＴＲＵＥ）又はオン（ＯＮ）に配置してＵＥのｎ個のＳＲＳの同時送信を許可し、又は、ＰＵＳＣＨとＰＵＣＣＨの同時伝送を許可する上位階層のシグナルを偽（ＦＡＬＳＥ）又はオフ（ＯＦＦ）に配置してＵＥにＳＲＳのみの送信を指示する方式の中の少なくとも一つを含むことが好ましい。
【００６０】
予め設定された優先順位原則（優先順原則１）が、アップリンクコンポーネントキャリアの優先順位を対応するコンポーネントキャリアでＳＲＳを送信する優先順位に設定することを含むことが好ましい。
【００６１】
予め設定された優先順位原則（優先順原則２）が、まず、非周期のＳＲＳの優先順位を周期ＳＲＳの優先順位より高く設定し、次に、メインアップリンクコンポーネントキャリア上のＳＲＳの優先順位を他のコンポーネントキャリア上の優先順位より高く設定し、その次、同時にＵＣＩを含むＰＵＳＣＨを送信するコンポーネントキャリア上のＳＲＳの優先順位を同時にＵＣＩを含まないＰＵＳＣＨを送信するコンポーネントキャリアのＳＲＳの優先順位より高く設定し、その次、同時にＰＵＳＣＨを送信するコンポーネントキャリア上のＳＲＳの優先順位を同時にＰＵＳＣＨを送信しないコンポーネントキャリアのＳＲＳの優先順位より高く設定し、上記優先順位原則を応用した後に、複数のコンポーネントキャリア上のＳＲＳの優先順位が依然として同一であると、アップリンクコンポーネントキャリアの優先順位を対応する複数のコンポーネントキャリア上のＳＲＳの優先順位に設定する方式の中の少なくとも一つを含むことが好ましい。
【００６２】
ＵＥが予め設定された規則に従って、現在のサブフレーム上の最後のシンボルでＰＵＣＣＨデータ及び／又はＰＵＳＣＨデータ又はＳＲＳを送信するか否かを確定することが、ＵＥが現在のサブフレームでＰＵＣＣＨフォーマット２／２ａ／２ｂと周期ＳＲＳとを同時送信する場合、ＵＥが現在のサブフレームでＰＵＣＣＨを送信し、周期的ＳＲＳを送信しないと確定するのを含むことが好ましい。
【００６３】
ＵＥが予め設定された規則に従って、現在のサブフレーム上の最後のシンボルでＰＵＣＣＨデータ及び／又はＰＵＳＣＨデータ又はＳＲＳを送信するか否かを確定することが、ＵＥが現在のサブフレームでＡＣＫ／ＮＡＣＫ応答メッセージを含むＰＵＣＣＨフォーマット２／２ａ／２ｂと非周期的ＳＲＳを同時送信する場合、ＵＥが現在のサブフレームでＰＵＣＣＨを送信し、非周期的ＳＲＳを送信しないと確定するのを含むことが好ましい。
【００６４】
ＵＥが予め設定された規則に従って、現在のサブフレーム上の最後のシンボルでＰＵＣＣＨデータ及び／又はＰＵＳＣＨデータ又はＳＲＳを送信するか否かを確定することが、ＵＥが現在のサブフレームでＡＣＫ／ＮＡＣＫ応答メッセージを含まないＰＵＣＣＨフォーマット２と非周期ＳＲＳを同時送信する場合、ＵＥが現在のサブフレームでＰＵＣＣＨを送信せず、非周期的ＳＲＳを送信すると確定するのを含むことが好ましい。
【００６５】
ＵＥが予め設定された規則に従って、現在のサブフレーム上の最後のシンボルでＰＵＣＣＨデータ及び／又はＰＵＳＣＨデータ又はＳＲＳを送信するか否かを確定することが、ＵＥが現在のサブフレームでＰＵＳＣＨ又はＰＵＣＣＨフォーマット１／１ａ／１ｂ／３とＳＲＳを同時送信し、且つ現在のサブフレームの最後のシンボルでＵＥのＰＵＳＣＨデータ又はＰＵＣＣＨのフォーマット１／１ａ／１ｂ／３を送信する場合、ＵＥが現在のサブフレームでＰＵＳＣＨデータ又はＰＵＣＣＨデータを送信し、現在のサブフレームの最後のシンボルでＳＲＳを送信しないと確定するのを含むことが好ましい。
【００６６】
ＵＥが予め設定された規則に従って、現在のサブフレーム上の最後のシンボルでＰＵＣＣＨデータ及び／又はＰＵＳＣＨデータ又はＳＲＳを送信するか否かを確定することが、ＵＥが現在のサブフレームでＰＵＳＣＨ又はＰＵＣＣＨフォーマット１／１ａ／１ｂ／３とＳＲＳを同時送信し、且つ現在のサブフレームの最後のシンボルでＵＥのＰＵＳＣＨデータ又はＰＵＣＣＨデータのフォーマット１／１ａ／１ｂ／３を送信しない場合、ＵＥが現在のサブフレーム中の最後のシンボルを除くシンボルでＰＵＳＣＨデータ又はＰＵＣＣＨデータを送信し、現在のサブフレームの最後のシンボルでＳＲＳを送信すると確定するのを含むことが好ましい。
【００６７】
ＵＥが予め設定された規則に従って、現在のサブフレーム上の最後のシンボルでＰＵＣＣＨデータ及び／又はＰＵＳＣＨデータ又はＳＲＳを送信するか否かを確定することが、ＵＥが現在のサブフレームでＰＵＣＣＨ、ＰＵＳＣＨ及びＳＲＳを同時送信し、且つＰＵＳＣＨとＰＵＣＣＨの同時伝送の許可を指示する上位階層のシグナルが真（ＴＲＵＥ）又はオン（ＯＮ）である場合、ＵＥがまずＰＵＣＣＨとＳＲＳを同一のサブフレームで送信する処理方法に従って、ＰＵＣＣＨとＳＲＳの送信を確定し、上記処理方法に従って処理した後、サブフレームの最後のシンボルでＳＲＳを送信しなければならないと、さらにＰＵＳＣＨとＳＲＳを同一のサブフレームで送信する処理方法に従って、ＰＵＳＣＨとＳＲＳの送信を確定するのを含むことが好ましい。
【００６８】
ＰＵＣＣＨとＳＲＳを同一のサブフレームで送信する処理方法に従って、ＰＵＣＣＨとＳＲＳの送信を確定することが、ＵＥが現在のサブフレームでＰＵＣＣＨフォーマット２／２ａ／２ｂと周期ＳＲＳを同時送信する場合、ＵＥが現在のサブフレームでＰＵＣＣＨを送信し、周期的ＳＲＳを送信しないと確定し、ＵＥが現在のサブフレームでＡＣＫ／ＮＡＣＫ応答メッセージを含むＰＵＣＣＨフォーマット２／２ａ／２ｂと非周期ＳＲＳを同時送信する場合、ＵＥが現在のサブフレームでＰＵＣＣＨを送信し、非周期のＳＲＳを送信しないと確定し、ＵＥが現在のサブフレームでＡＣＫ／ＮＡＣＫ応答メッセージを含まないＰＵＣＣＨフォーマット２と非周期的ＳＲＳを同時送信する場合、ＵＥが現在のサブフレームでＰＵＣＣＨを送信せず、非周期的ＳＲＳを送信すると確定し、ＵＥが現在のサブフレームでＰＵＣＣＨフォーマット１／１ａ／１ｂ／３とＳＲＳを同時送信し、且つ現在のサブフレームの最後のシンボルでＵＥのＰＵＣＣＨのフォーマット１／１ａ／１ｂ／３を送信する場合、ＵＥが現在のサブフレームでＰＵＣＣＨデータを送信し、ＵＥが現在のサブフレームの最後のシンボルでＳＲＳを送信しないと確定し、ＵＥが現在のサブフレームでＰＵＣＣＨフォーマット１／１ａ／１ｂ／３とＳＲＳを同時送信し、且つ現在のサブフレームの最後のシンボルでＵＥのＰＵＣＣＨフォーマット１／１ａ／１ｂ／３を送信しない場合、ＵＥが現在のサブフレーム中の最後のシンボルを除くシンボルでＰＵＣＣＨデータを送信し、現在のサブフレームの最後のシンボルでＳＲＳを送信すると確定するのを含むことが好ましい。
【００６９】
ＵＥが予め設定された規則に従って、現在のサブフレーム上の最後のシンボルでＰＵＣＣＨデータ及び／又はＰＵＳＣＨデータ又はＳＲＳを送信するか否かを確定することが、ＵＥが現在のサブフレームでＰＵＣＣＨ、ＰＵＳＣＨ及びＳＲＳを同時送信し、且つＰＵＳＣＨとＰＵＣＣＨの同時伝送を許可する上位階層のシグナルが偽（ＦＡＬＳＥ）又はオフ（ＯＦＦ）である場合、ＵＥがまずＰＵＣＣＨが含んだＵＣＩ情報をＰＵＳＣＨに載せて送信し、その後、ＰＵＳＣＨとＳＲＳを同一のサブフレームで送信する処理方法に従って、ＰＵＳＣＨとＳＲＳの送信を確定するのを含むことが好ましい。
【００７０】
ＰＵＳＣＨとＳＲＳを同一のサブフレームで送信する処理方法に従って、ＰＵＳＣＨとＳＲＳの送信を確定することが、ＵＥが現在のサブフレームでＰＵＳＣＨデータとＳＲＳを同時送信し、且つ現在のサブフレームの最後のシンボルでＵＥのＰＵＳＣＨデータを送信する場合、ＵＥが現在のサブフレームでＰＵＳＣＨデータを送信し、現在のサブフレームの最後のシンボルでＳＲＳを送信しないと確定し、ＵＥが現在のサブフレームでＰＵＳＣＨデータとＳＲＳを同時送信し、且つ現在のサブフレームの最後のシンボルでＵＥのＰＵＳＣＨを送信しない場合、ＵＥが現在のサブフレーム中の最後のシンボルを除くシンボルでＰＵＳＣＨデータを送信し、現在のサブフレームの最後のシンボルでＳＲＳを送信すると確定するのを含むことが好ましい。
【００７１】
以下、実施例に合わせ、本発明の実施例の実現フローを詳しく説明する。
本発明の規則の実際の応用を理解するために、以下、具体的な実施例を詳しく説明する。
【００７２】
説明の便宜を図るため、図５に示すように、上位階層のシグナルによってＵＥに複数のアップリンクコンポーネントキャリアＵＬ  ＣＣ♯１、ＵＬ  ＣＣ♯２及びＵＬ  ＣＣ♯３を配置し、ここで、ＵＬ  ＣＣ♯２はメインアップリンクコンポーネントキャリア（ＵＬ  ＰＣＣ）であって、サブフレーム♯ｉ／♯ｋはＵＬ  ＣＣ♯１の上位階層から配置され、セル固有のＳＲＳを送信するサブフレームで、サブフレーム♯ｉ／♯ｋ／♯ｌはＵＬ  ＣＣ♯２の上位階層から配置され、セル固有のＳＲＳを送信するサブフレームで、サブフレーム♯ｉ／♯ｊ／♯ｌはＵＬ  ＣＣ♯３の上位階層から配置され、セル固有のＳＲＳを送信するサブフレームであると仮定する。また、説明の便宜を図るために、特別な説明がなければ、後述のＳＲＳはいずれも周期的ＳＲＳと非周期的ＳＲＳを含む。
【００７３】
実施例１
図６に示すように、サブフレーム♯ｉにおいて、ＵＥがＵＬ  ＣＣ♯２でＰＵＳＣＨとＳＲＳを同時送信する必要があるとすると、サブフレーム♯ｉでＳＲＳを送信可能であるので、現在のサブフレーム♯ｉは必ずＵＬ  ＣＣ♯２の上位階層から配置されセル固有のＳＲＳサブフレームであって、規則１に従って、ＵＥはサブフレーム♯ｉの最後のシンボルでＰＵＳＣＨを送信せず、また、規則８に従って、サブフレーム♯ｉの最後のシンボルでＰＵＳＣＨを送信しないので、ＵＥはサブフレーム♯ｉの最後のシンボルで上記ＳＲＳを送信する。
【００７４】
実施例２
実施例２−１：
図７に示すように、サブフレーム♯ｉにおいて、ＵＥがＵＬ  ＣＣ♯２でＰＵＳＣＨを送信し、ＵＬ  ＣＣ♯１でＳＲＳを送信する必要があるとすると、ＵＬ  ＣＣ♯２の場合、サブフレーム♯ｉがＵＬ  ＣＣ♯２の上位階層から配置され、セル固有のＳＲＳサブフレームであって、また、現在のＵＬ  ＣＣ♯２上のＰＵＳＣＨのリソースの割り当てがＵＬ  ＣＣ♯２の上位階層から配置され、セル固有のＳＲＳの帯域幅とオーバーラップする部分があるとすると、規則２に従って、ＵＥはサブフレーム♯ｉの最後のシンボルでＰＵＳＣＨを送信せず、また、規則８に従って、サブフレーム♯ｉの最後のシンボルでＰＵＳＣＨを送信しないので、ＵＥはサブフレーム♯ｉの最後のシンボルでＵＬ  ＣＣ♯１のＳＲＳを送信する。
【００７５】
実施例２−２
図８に示すように、サブフレーム♯ｉにおいて、ＵＥがＵＬ  ＣＣ♯２でＰＵＳＣＨを送信し、ＵＬ  ＣＣ♯１でＳＲＳを送信する必要があるとすると、ＵＬ  ＣＣ♯２の場合、サブフレーム♯ｉがＵＬ  ＣＣ♯２の上位階層から配置され、セル固有のＳＲＳサブフレームであって、また、現在のＵＬ  ＣＣ♯２上のＰＵＳＣＨのリソースの割り当てがＵＬ  ＣＣ♯２の上位階層から配置され、セル固有のＳＲＳ帯域幅とオーバーラップする部分がないとすると、規則２に従って、ＵＥはサブフレーム♯ｉの最後のシンボルでＰＵＳＣＨを送信し、また、規則７に従って、サブフレーム♯ｉの最後のシンボルでＰＵＳＣＨを送信するので、ＵＬ  ＣＣ♯１のＳＲＳは放棄し、送信しない。
【００７６】
実施例２−３
図９に示すように、サブフレーム♯ｊにおいて、ＵＥがＵＬ  ＣＣ♯２でＰＵＳＣＨを送信し、ＵＬ  ＣＣ♯３でＳＲＳを送信する必要があるとすると、ＵＬ  ＣＣ♯２の場合、サブフレーム♯ｊがＵＬ  ＣＣ♯２の上位階層から配置され、セル固有のＳＲＳサブフレームではないので、規則１に従って、ＵＥはサブフレーム♯ｊの最後のシンボルでＰＵＳＣＨを送信し、また規則７に従って、サブフレーム♯ｊの最後のシンボルでＰＵＳＣＨを送信するので、ＵＬ  ＣＣ♯３のＳＲＳは放棄し、送信しない。
【００７７】
実施例２−４
図１０に示すように、サブフレーム♯ｊにおいて、ＵＥがＵＬ  ＣＣ♯２でＰＵＳＣＨを送信し、ＵＬ  ＣＣ♯３でＳＲＳを送信する必要があるとすると、ＵＬ  ＣＣ♯２の場合、サブフレーム♯ｊがＵＬ  ＣＣ♯２の上位階層から配置され、セル固有のＳＲＳサブフレームではないが、ＵＬ  ＣＣ♯３の上位階層から配置され、セル固有のＳＲＳサブフレームであるので、規則３に従って、ＵＥはサブフレーム♯ｊの最後のシンボルでＰＵＳＣＨを送信せず、また規則８に従って、サブフレーム♯ｊの最後のシンボルでＰＵＳＣＨを送信しないので、ＵＥはサブフレーム♯ｊの最後のシンボルでＵＬ  ＣＣ♯３のＳＲＳを送信する。
【００７８】
実施例３
実施例３−１
図１１に示すように、サブフレーム♯ｉにおいて、ＵＥがＵＬ  ＣＣ♯２でＰＵＣＣＨとＳＲＳを同時送信し、該ＰＵＣＣＨがＰＵＣＣＨフォーマット１／１ａ／１ｂ／３の中の一つであって、且つ上位階層配置パラメーターＳｉｍｕｌｔａｎｅｏｕｓ−ＡＮ−ａｎｄ−ＳＲＳがＴＲＵＥであるとすると、規則４に従って、ＵＥはサブフレーム♯ｉにおいて、クリッピング構造で上記ＰＵＣＣＨを送信し、つまり、サブフレーム♯ｉの最後のシンボルでＰＵＣＣＨを送信せず、また、規則８に従って、サブフレーム♯ｉの最後のシンボルでＰＵＣＣＨを送信しないので、ＵＥはサブフレーム♯ｉの最後のシンボルで上記ＳＲＳを送信する。
【００７９】
実施例３−２
図１２に示すように、サブフレーム♯ｉにおいて、ＵＥがＵＬ  ＣＣ♯２でＰＵＣＣＨとＳＲＳを同時送信し、該ＰＵＣＣＨがＰＵＣＣＨフォーマット１／１ａ／１ｂ／３の中の一つであって、且つ上位階層配置パラメーターＳｉｍｕｌｔａｎｅｏｕｓ−ＡＮ−ａｎｄ−ＳＲＳがＦＡＬＳＥであるとすると、規則４に従って、ＵＥはサブフレーム♯ｉにおいて正規構造で上記ＰＵＣＣＨを送信し、つまりサブフレーム♯ｉの最後のシンボルでＰＵＣＣＨを送信し、また、規則７に従って、サブフレーム♯ｉの最後のシンボルでＰＵＣＣＨを送信するので、ＵＥはＵＬ  ＣＣ♯２上のＳＲＳを放棄し、送信しない。
【００８０】
実施例４
実施例４−１
図１３に示すように、サブフレーム♯ｉにおいて、ＵＥがＵＬ  ＣＣ♯２でＰＵＣＣＨを送信し、ＵＬ  ＣＣ♯１でＳＲＳを送信し、該ＰＵＣＣＨがＰＵＣＣＨフォーマット１／１ａ／１ｂ／３の中の一つであって、且つ上位階層配置パラメーターＳｉｍｕｌｔａｎｅｏｕｓ−ＡＮ−ａｎｄ−ＳＲＳがＴＲＵＥであるとすると、サブフレーム♯ｉがＵＬ  ＣＣ♯２の上位階層から配置され、セル固有のＳＲＳサブフレームであるので、規則４に従って、ＵＥはサブフレーム♯ｉでクリッピング構造でＵＬ  ＣＣ♯２上のＰＵＣＣＨを送信し、つまりサブフレーム♯ｉの最後のシンボルでＰＵＣＣＨを送信せず、また規則８に従って、サブフレーム♯ｉの最後のシンボルでＰＵＣＣＨを送信していないので、ＵＥはサブフレーム♯ｉの最後のシンボルでＵＬ  ＣＣ♯１のＳＲＳを送信する。
【００８１】
実施例４−２
図１４に示すように、サブフレーム♯ｉにおいて、ＵＥがＵＬ  ＣＣ♯２でＰＵＣＣＨを送信し、ＵＬ  ＣＣ♯１でＳＲＳを送信し、該ＰＵＣＣＨがＰＵＣＣＨフォーマット１／１ａ／１ｂ／３の中の一つであって、且つ上位階層配置パラメーターＳｉｍｕｌｔａｎｅｏｕｓ−ＡＮ−ａｎｄ−ＳＲＳがＦＡＬＳＥであるとすると、規則４に従って、ＵＥはサブフレーム♯ｉで正規構造でＵＬ  ＣＣ♯２上のＰＵＣＣＨを送信し、つまりサブフレーム♯ｉの最後のシンボルでＰＵＣＣＨを送信し、また規則７に従って、サブフレーム♯ｉの最後のシンボルでＰＵＣＣＨを送信するので、ＵＥはＵＬ  ＣＣ♯１のＳＲＳを放棄し、送信しない。
【００８２】
実施例４−３
図１５に示すように、サブフレーム♯ｊにおいて、ＵＥがＵＬ  ＣＣ♯２でＰＵＣＣＨを送信し、ＵＬ  ＣＣ♯２でＳＲＳを送信し、該ＰＵＣＣＨがＰＵＣＣＨフォーマット１／１ａ／１ｂ／３の中の一つであるとすると、サブフレーム♯ｊがメインアップリンクコンポーネントキャリアＵＬ  ＣＣ♯２の上位階層から配置され、セル固有のＳＲＳサブフレームではないので、規則４に従って、ＵＥはサブフレーム♯ｉで正規構造でＵＬ  ＣＣ♯２上のＰＵＣＣＨを送信し、つまりサブフレーム♯ｊの最後のシンボルでＰＵＣＣＨを送信し、また規則７に従って、サブフレーム♯ｊの最後のシンボルでＰＵＣＣＨを送信するので、ＵＥはＵＬ  ＣＣ♯３のＳＲＳを放棄し、送信しない。
【００８３】
実施例５
実施例５−１
図１２に示すように、サブフレーム♯ｉにおいて、ＵＥがＵＬ  ＣＣ♯２でＰＵＣＣＨと周期ＳＲＳを同時送信し、該ＰＵＣＣＨがＰＵＣＣＨフォーマット２／２ａ／２ｂの中の一つであるとすると、規則６に従って、ＵＥがサブフレーム♯ｉで上記ＰＵＣＣＨを送信し、また規則７に従って、サブフレーム♯ｉの最後のシンボルでＰＵＣＣＨを送信するので、ＵＥはＵＬ  ＣＣ♯２上のＳＲＳを放棄し、送信しない。
【００８４】
実施例５−２
図１２に示すように、サブフレーム♯ｉにおいて、ＵＥがＵＬ  ＣＣ♯２でＰＵＣＣＨと非周期ＳＲＳを同時送信し、該ＰＵＣＣＨがＰＵＣＣＨフォーマット２ａ又は２ｂ又はＡＣＫ／ＮＡＣＫ伝送を含むＰＵＣＣＨフォーマット２であるとすると、規則６に従って、上記ＰＵＣＣＨがいずれもＡＣＫ／ＮＡＣＫ伝送を含むので、ＵＥはサブフレーム♯ｉで上記ＰＵＣＣＨを送信し、また規則８に従って、サブフレーム♯ｉの最後のシンボルでＰＵＣＣＨを送信するので、ＵＥはＵＬ  ＣＣ♯２上のＳＲＳを放棄し、送信しない。
【００８５】
実施例５−３
図１２に示すように、サブフレーム♯ｉにおいて、ＵＥがＵＬ  ＣＣ♯２でＰＵＣＣＨと非周期的ＳＲＳを同時送信し、該ＰＵＣＣＨがＡＣＫ／ＮＡＣＫ伝送を含まないＰＵＣＣＨフォーマット２であるとすると、規則６に従って、上記ＰＵＣＣＨがＡＣＫ／ＮＡＣＫ伝送を含まないので、ＵＥはサブフレーム♯ｉで上記ＰＵＣＣＨを送信せず、また規則８に従って、サブフレーム♯ｉの最後のシンボルでＰＵＣＣＨを送信しないので、ＵＥはサブフレーム♯ｉ上の最後のシンボルでＵＬ  ＣＣ♯２上のＳＲＳを送信する。
【００８６】
実施例６
実施例６−１
図１４に示すように、サブフレーム♯ｉにおいて、ＵＥがＵＬ  ＣＣ♯２でＰＵＣＣＨを送信し、同時にＵＬ  ＣＣ♯１で周期的ＳＲＳを送信し、該ＰＵＣＣＨがＰＵＣＣＨフォーマット２／２ａ／２ｂの中の一つであるとすると、規則６に従って、ＵＥはサブフレーム♯ｉでＵＬ  ＣＣ♯２のＰＵＣＣＨを送信し、また規則７に従って、サブフレーム♯ｉの最後のシンボルでＰＵＣＣＨを送信するので、ＵＥはＵＬ  ＣＣ♯１上のＳＲＳを放棄し、送信しない。
【００８７】
実施例６−２
図１４に示すように、サブフレーム♯ｉにおいて、ＵＥがＵＬ  ＣＣ♯２でＰＵＣＣＨを送信し、同時にＵＬ  ＣＣ♯１で非周期的ＳＲＳを送信し、該ＰＵＣＣＨがＰＵＣＣＨフォーマット２ａ又は２ｂ又はＡＣＫ／ＮＡＣＫ伝送を含むＰＵＣＣＨフォーマット２であるとすると、規則６に従って、上記ＰＵＣＣＨがいずれもＡＣＫ／ＮＡＣＫ伝送を含むので、ＵＥはサブフレーム♯ｉでＵＬ  ＣＣ♯２のＰＵＣＣＨを送信し、また規則７に従って、サブフレーム♯ｉの最後のシンボルでＰＵＣＣＨを送信するので、ＵＥはＵＬ  ＣＣ♯１上のＳＲＳを放棄し、送信しない。
【００８８】
実施例６−３
図１３に示すように、サブフレーム♯ｉにおいて、ＵＥがＵＬ  ＣＣ♯２でＰＵＣＣＨを送信し、同時にＵＬ  ＣＣ♯１で非周期的ＳＲＳを送信し、該ＰＵＣＣＨがＡＣＫ／ＮＡＣＫ伝送を含まないＰＵＣＣＨフォーマット２であるとすると、規則６に従って、上記ＰＵＣＣＨがＡＣＫ／ＮＡＣＫ伝送を含まないので、ＵＥはサブフレーム♯ｉでＵＬ  ＣＣ♯２のＰＵＣＣＨを送信せず、また規則８に従って、サブフレーム♯ｉの最後のシンボルでＰＵＣＣＨを送信しないので、ＵＥはサブフレーム♯ｉ上の最後のシンボルでＵＬ  ＣＣ♯１上のＳＲＳを送信する。
【００８９】
実施例７
実施例７−１、ＵＥの上位階層配置パラメーターＳｉｍｕｌｔａｎｅｏｕｓ―ＰＵＣＣＨ−ａｎｄ−ＰＵＳＣＨがＴＲＵＥである場合、つまりＰＵＣＣＨとＰＵＳＣＨの同時送信を許可する場合、ＵＥは実施例１、３、５の処理形態を総合し、ＰＵＣＣＨ、ＰＵＳＣＨ及びＳＲＳの送信を確定する。
【００９０】
実施例７−２、ＵＥの上位階層配置パラメーターＳｉｍｕｌｔａｎｅｏｕｓ―ＰＵＣＣＨ−ａｎｄ−ＰＵＳＣＨがＦＡＬＳＥである場合、つまりＰＵＣＣＨとＰＵＳＣＨの同時送信を許可しない場合、ＰＵＣＣＨが含んだＵＣＩをＰＵＳＣＨに載せて送信し、つまり現在のサブフレームでＰＵＳＣＨとＰＵＳＣＨのみを同時送信する。この時、ＰＵＳＣＨとＳＲＳを同一のコンポーネントキャリアで同時送信するので、ＵＥは実施例１と同一の処理形態で、ＰＵＳＣＨ、ＳＲＳの送信を確定する。
【００９１】
実施例８
実施例８−１、ＵＥの上位階層配置パラメーターＳｉｍｕｌｔａｎｅｏｕｓ−ＰＵＣＣＨ−ａｎｄ−ＰＵＳＣＨがＴＲＵＥである場合、つまりＰＵＣＣＨとＰＵＳＣＨの同時送信を許可する場合、現在のサブフレームが送信しようとするＰＵＣＣＨとＰＵＳＣＨが同一のコンポーネントキャリアに位置し、ＳＲＳが他のコンポーネントキャリアに位置すると、又はＰＵＣＣＨ、ＰＵＳＣＨとＳＲＳがいずれも異なるコンポーネントキャリアに位置すると、ＵＥは実施例２、４、６の処理形態を総合してＰＵＣＣＨ、ＰＵＳＣＨ及びＳＲＳの送信を確定する。
【００９２】
実施例８−２、ＵＥの上位階層配置パラメーターＳｉｍｕｌｔａｎｅｏｕｓ−ＰＵＣＣＨ−ａｎｄ−ＰＵＳＣＨがＴＲＵＥである場合、つまりＰＵＣＣＨとＰＵＳＣＨの同時送信を許可する場合、現在のサブフレームが送信しようとするＰＵＣＣＨとＳＲＳが同一のコンポーネントキャリアに位置し、ＰＵＳＣＨが他のコンポーネントキャリアに位置すると、ＵＥは実施例２、３、５の処理形態を総合し、ＰＵＣＣＨ、ＰＵＳＣＨ及びＳＲＳの送信を確定する。
【００９３】
実施例８−３、ＵＥの上位階層配置パラメーターＳｉｍｕｌｔａｎｅｏｕｓ−ＰＵＣＣＨ−ａｎｄ−ＰＵＳＣＨがＴＲＵＥである場合、つまりＰＵＣＣＨとＰＵＳＣＨの同時送信を許可する場合、現在のサブフレームで送信しようとするＰＵＳＣＨとＳＲＳが同一のコンポーネントキャリアに位置し、ＰＵＣＣＨが他のコンポーネントキャリアに位置すると、ＵＥは実施例１、４、６の処理形態を総合し、ＰＵＣＣＨ、ＰＵＳＣＨ及びＳＲＳの送信を確定する。
【００９４】
実施例８−４、ＵＥの上位階層配置パラメーターＳｉｍｕｌｔａｎｅｏｕｓ−ＰＵＣＣＨ−ａｎｄ−ＰＵＳＣＨがＦＡＬＳＥである場合、つまりＰＵＣＣＨとＰＵＳＣＨの同時送信を許可しない場合、この時、ＰＵＣＣＨが含んだＵＣＩはＰＵＳＣＨにて送信され、現在のサブフレームで送信しようとするＰＵＳＣＨとＳＲＳが異なるコンポーネントキャリアに位置すると、ＵＥは実施例２と同一の処理形態でＰＵＳＣＨ及びＳＲＳの送信を確定する。現在のサブフレームで送信しようとするＰＵＳＣＨとＳＲＳが同一のサブフレームに位置する（つまり元のＰＵＳＣＨとＰＵＣＣＨが必ず同一のコンポーネントキャリアに位置しない）と、ＵＥは実施例１と同一の処理形態でＰＵＳＣＨとＳＲＳの送信を確定する。
【００９５】
実施例９
実施例９−１：上記ＵＥが上位階層のシグナルによって複数のＳＲＳの同時送信を許可すると配置された場合、上記ＵＥは上記サブフレームの最後のシンボルで上記複数のコンポーネントキャリアのＳＲＳを送信する。
【００９６】
実施例９−２：上記ＵＥが上位階層のシグナルによって複数のＳＲＳの同時送信を許可しないと配置された場合、上記ＵＥは予め定義した優先順位の原則に従って、上記サブフレームの最後のシンボルで優先順位が最も高いコンポーネントキャリアのＳＲＳを送信する。
【００９７】
実施例９−２−１：ＵＥがＳＲＳを選択する際に上記優先順原則１を用いていて、同時にＵＬ  ＣＣ♯１／２／３の優先順位がＵＬ  ＣＣ♯２＞ＵＬ  ＣＣ♯１＞ＵＬ  ＣＣ♯３であるとする。
図１６に示すように、ＵＥがサブフレーム♯ｉの最後のシンボルでＵＬ  ＣＣ♯１とＵＬ  ＣＣ♯２のＳＲＳを送信する必要があるが、ＵＥの上位階層配置シグナルが複数のＳＲＳの同時送信を許可しないとすると、ＵＥは優先順原則１に従って、送信しようとするＳＲＳのコンポーネントキャリアにおいて、ＵＬ  ＣＣ♯２の優先順位が最も高いので、ＵＥはサブフレーム♯ｉの最後のシンボルでＵＬ  ＣＣ♯２のＳＲＳを送信し、ＵＬ  ＣＣ♯１上のＳＲＳは放棄され、送信しない。この場合、ＵＬ  ＣＣ♯１上のＳＲＳが周期的ＳＲＳであるかそれとも非周期的ＳＲＳであるかは考慮しない。
【００９８】
実施例９−２−２：ＵＥがＳＲＳを選択する際に上記優先順原則２を用いたとする。
図１６に示すように、ＵＥがサブフレーム♯ｉの最後のシンボルでＵＬ  ＣＣ♯１の非周期的ＳＲＳとＵＬ  ＣＣ♯２の周期的ＳＲＳを送信する必要があるが、ＵＥの上位階層配置シグナルが複数のＳＲＳの同時送信を許可しないとすると、ＵＥは優先順原則２に従って、ＵＬ  ＣＣ♯１上のＳＲＳが非周期的ＳＲＳであるので、サブフレーム♯ｉ上の最後のシンボルでＵＬ  ＣＣ♯１の非周期的ＳＲＳを送信し、ＵＬ  ＣＣ♯２上のＳＲＳは放棄し、送信しない。
【００９９】
実施例９−２−３：ＵＥがＳＲＳを選択する際に上記優先順原則２を用いたとする。
図１７に示すように、ＵＥがサブフレーム♯ｉの最後のシンボルでＵＬ  ＣＣ♯１とＵＬ  ＣＣ♯３の同タイプのＳＲＳ（共に周期ＳＲＳであるか、又は共に非周期ＳＲＳである）を送信する必要があるが、ＵＥの上位階層配置シグナルが複数のＳＲＳの同時送信を許可しないとすると、ＵＥは優先順原則２に従って、ＵＬ  ＣＣ♯１とＵＬ  ＣＣ♯２上のＳＲＳのタイプが同一であるが、ＵＬ  ＣＣ♯３においてＰＵＳＣＨも同時送信しなければならず、ＵＬ  ＣＣ♯１においてＰＵＳＣＨを送信しないので、ＵＥはサブフレーム♯ｉ上の最後のシンボルでＵＬ  ＣＣ♯３のＳＲＳを送信し、ＵＬ  ＣＣ♯１上のＳＲＳは放棄し、送信しない。
【０１００】
実施例９−２−４：ＵＥがＳＲＳを選択する際に上記優先順原則２を用いたとする。
図１８に示すように、ＵＥがサブフレーム♯ｉの最後のシンボルでＵＬ  ＣＣ♯１とＵＬ  ＣＣ♯３の同タイプのＳＲＳ（共に周期的ＳＲＳであるか、又は共に非周期的ＳＲＳである）を送信する必要があるが、ＵＥの上位階層配置シグナルが複数のＳＲＳの同時送信を許可しないとすると、ＵＥは優先順原則２に従って、ＵＬ  ＣＣ♯１とＵＬ  ＣＣ♯２上のＳＲＳのタイプが同一であって、且つＵＬ  ＣＣ♯１とＵＬ  ＣＣ♯３がいずれもメインアップリンクコンポーネントキャリアではなく、またＰＵＳＣＨを同時送信する必要があるので、ＵＥは上記優先順原則１に従って、ＵＬ  ＣＣ♯１とＵＬ  ＣＣ♯３で優先順の高いＳＲＳを選択して送信し、コンポーネントキャリアの優先順がＵＬ  ＣＣ♯１＞ＵＬ  ＣＣ♯３であるので、ＵＥはサブフレーム♯ｉ上の最後のシンボルでＵＬ  ＣＣ♯１のＳＲＳを送信し、ＵＬ  ＣＣ♯３上のＳＲＳは放棄し、送信しない。
【０１０１】
実施例９−２−５：ＵＥがＳＲＳを選択する際に上記優先順原則２を用いたとする。
図１８に示すように、ＵＥがサブフレーム♯ｉの最後のシンボルでＵＬ  ＣＣ♯１とＵＬ  ＣＣ♯３の同タイプのＳＲＳ（共に周期的ＳＲＳであるか、又は共に非周期的ＳＲＳである）を送信する必要があるが、ＵＥの上位階層配置シグナルが複数のＳＲＳの同時送信を許可しないとすると、ＵＥは優先順原則２に従って、ＵＬ  ＣＣ♯１とＵＬ  ＣＣ♯２上のＳＲＳのタイプが同一であって、且つＵＬ  ＣＣ♯１とＵＬ  ＣＣ♯３がいずれもメインアップリンクコンポーネントキャリアではなく、またＰＵＳＣＨを同時送信する必要があるが、ＵＬ  ＣＣ♯１上のＰＵＳＣＨがＵＣＩを含むと、この時、ＵＥはサブフレーム♯ｉ上の最後のシンボルでＵＬ  ＣＣ♯１のＳＲＳを送信し、ＵＬ  ＣＣ♯３上のＳＲＳは放棄し、送信しない。
【０１０２】
なお、図面中のフローチャートに示すステップを１組の計算機が指令を実行可能な計算機システムで実行することができ、また、フローチャートにロジック順を示しているが、図面に示したステップ又は説明したステップを他の順で実行することもできる。
【０１０３】
本発明の実施例によると、上記データの送信方法を実現できるデータの送信装置を提供する。図１９は、本発明の実施例に係わるデータ送信装置の構造を示すブロック図である。図１９に示すように、第１の確定ブロック１９２と、第２の確定ブロック１９４と、送信ブロック１９６と、を含む。以下、詳しく説明する。
【０１０４】
第１の確定ブロック１９２は、予め設定された規則に従って、現在のサブフレーム上の最後のシンボルでＰＵＣＣＨデータ及び／又はＰＵＳＣＨデータ及び／又はＳＲＳを送信するか否かを確定するように設置される。第２の確定ブロック１９４は、現在のサブフレームの最後のシンボルでＰＵＣＣＨデータ及び／又はＰＵＳＣＨデータを送信可能であるか否かに基づいて、現在のサブフレームで送信するＰＵＣＣＨデータ及び／又はＰＵＳＣＨデータを確定するように設置される。送信ブロック１９６は、現在のサブフレームでＰＵＣＣＨデータ及び／又はＰＵＳＣＨデータを送信し、及び／又は現在のサブフレームの最後のシンボルでＳＲＳを送信するように設置される。
【０１０５】
なお、装置実施例に記載のデータ送信装置は上記方法実施例に対応し、その具体的な実現フローは方法実施例において詳しく説明したので、ここで説明を省略する。
【０１０６】
上述のように、本発明の上記実施例によると、データ送信方法及び装置を提供する。本発明によると、異なる予め設定された規則に従って、ＰＵＣＣＨデータ及び／又はＰＵＳＣＨデータ及び／又はＳＲＳを送信することによって、複数種類の物理アップリンク信号／チャネルの同時送信を実現できる。
【０１０７】
当業者にとっては、上記本発明の各ブロック又は各ステップは共通の計算装置によって実現することができ、単独の計算装置に集中させることができれば、複数の計算装置から構成されるネットワークに分布させることもでき、さらに計算装置が実行可能なプログラムのコードによって実現することもできるので、それらを記憶装置に記憶させて計算装置によって実行することができ、又は夫々集積回路ブロックに製作し、又はそれらにおける複数のブロック又はステップを単独の集積回路ブロックに製作して実現することができることは明らかなことである。このように、本発明は如何なる特定のハードウェアとソフトウェアの結合にも限定されない。
【０１０８】
以上は、本発明の好適な実施例に過ぎず、本発明を限定するものではない。当業者であれば本発明に様々な修正や変形が可能である。本発明の精神や原則内での如何なる修正、置換、改良などは本発明の保護範囲内に含まれる。
【図１】
0005869588.tif 000011
【図２】
0005869588.tif 000012
【図３】
0005869588.tif 000013
【図４】
0005869588.tif 000014
【図５】
0005869588.tif 000015
【図６】
0005869588.tif 000016
【図７】
0005869588.tif 000017
【図８】
0005869588.tif 000018
【図９】
0005869588.tif 000019
【図１０】
0005869588.tif 000020
【図１１】
0005869588.tif 000021
【図１２】
0005869588.tif 000022
【図１３】
0005869588.tif 000023
【図１４】
0005869588.tif 000024
【図１５】
0005869588.tif 000025
【図１６】
0005869588.tif 000026
【図１７】
0005869588.tif 000027
【図１８】
0005869588.tif 000028
【図１９】
0005869588.tif 000029